(57)【要約】【課題】  遊技機に隣接して配置されるメダル貸機であって、メダル貸機から払い出されるメダルを貸機の前方に突出させたメダルシュートを介して遊技機のメダル受皿側へ送り込む装置において、外寸法が異なる遊技機に交換されてもメダル貸機からの払出しメダルを新しい遊技機の別の位置にある受皿へ確実に送り出せる。【解決手段】  メダル貸機内部から払い出されるメダルを貸機外部へ払い出す貸機前面に設けた角筒状のメダル払出シュートに、メダルを受皿まで送る所定の形状・寸法したメダル送出シュート２４の基端のシュート筒２４１をメダル払出シュートに脱着自在に嵌合して所定の嵌合深さで前後に突出長さを変えて連結固定できるようにする。【選択図】図４
2018086097.tif 000002
【特許請求の範囲】
【請求項１】
メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出してメダルを供給できるメダル貸機に於いて、
貸機前面に貸機内の払出路に接続された筒状のメダル払出ノズルを前方下向きに突出するように固設し、同メダル払出ノズルの先端部にメダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにした、メダル貸機。
【請求項２】
前記メダル払出ノズルの先端部に前記メダル送出シュートの基端部を嵌合する長さを前後方向に調整できるようにし、嵌合位置の調整でメダル送出シュートの先端までの長さを調整可能とした、請求項１記載のメダル貸機。
【請求項３】
メダル払出ノズル及びメダル送出シュートの基端部の嵌合部の断面形状が角筒状である、請求項１又は２いずれか記載のメダル貸機。
【請求項４】
メダル払出ノズルが、貸機前面でメダルを供給する遊技機に近い左右方向に偏寄した位置で前方下向きに突出するように固設させたものである、請求項１〜３いずれか記載のメダル貸機。
【請求項５】
メダル送出シュートの先端にメダルを貯えられるトレイ部を設けた、請求項１〜４いずれか記載のメダル貸機。
【請求項６】
前記トレイ部の長さが調整可能で、貯えるメダル数を増減できる、請求項５記載のメダル貸機。
【請求項７】
前記トレイ部の側壁を構成する部材の一部が前記メダル受皿に向けて開放可能の構造とし、トレイ部でメダルを貯えるか吐出するか切替えることができる、請求項５又は６いずれか記載のメダル貸機。
【請求項８】
貸機前面に設けた連絡通路ブロックの前面に筒状のメダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口を有し且つ下方にメダル投入口から落下するメダルを貸機内の回収路へ案内するメダル吐出路を有するメダル投入管を前記連絡通路ブロックとは別体として備え、前記連絡通路ブロックに前記メダル投入管が前後に所定巾の移動を許容する管収納空間を確保し、同管収納空間に前記メダル投入管を嵌入し、メダル投入管を前後方向に進退可能とした、請求項１〜７いずれか記載のメダル貸機。
【請求項９】
前記メダル投入管のメダル投入口の左又は右の口縁に前方に引出された位置で前記メダル投入口を閉鎖する蓋体を枢着するとともに、同蓋体が閉鎖状態でメダル投入管を貸機前面開口を通して前後に進退可能な構造とした、請求項８記載のメダル貸機。
【請求項１０】
前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、請求項９記載のメダル貸機。
【請求項１１】
貸機前面に設けた連絡通路ブロックの前面に筒状のメダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口と、同メダル投入口から投入されるメダルを受け止めて所定の下方位置へ傾斜面で誘導するメダル受面と、同メダル受面の前記の誘導される位置に設けたメダル落下口と、前記メダル投入口の側方口縁に起立可能に取付けられた前記メダル投入口を閉鎖する蓋体とを有する受皿状のメダル投入器を別体として備え、前記の連絡通路ブロック上部に前記メダル投入器を前記蓋体を閉じた状態で前後方向に進退自在に取付け、
更に、前記メダル投入器のメダル落下口の下方位置の連絡通路ブロックの内部に落下したメダルを貸機内の回収路へ送るメダル排出路を設けたことを特徴とする、請求項１〜７いずれか記載のメダル貸機。
【請求項１２】
前記メダル投入器が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、請求項１１記載のメダル貸機。
【発明の詳細な説明】
【技術分野】
【０００１】
本発明は、スロットル等の遊技場でメダルを使った遊技機に隣接して配置されてメダルを貸出すメダル貸機であって、紙幣投入及び貸出ボタンの操作によってホッパーに貯えているメダルを所要枚数だけ貸機前面に設けたメダル送出シュートに払い出し、メダルを遊技機のメダル受皿へ送り出すメダル貸機のメダルシュートの構造に関する。
【背景技術】
【０００２】
メダル貸機が払出すメダルを、筒状のメダル送出シュートを介して遊技機のメダル受皿へ直接供給する構造のメダル貸機としては、特許文献１，特許文献２，特許文献３，特許文献４及び特許文献５が知られている。
いずれの特許文献１〜４の発明も、貸機から払い出されるメダルはメダル送出シュートのシュート先端が開放され、直接隣接する遊技機のメダル受皿へ直接投入されるものであった。
しかし、遊技機のメダル受皿に多くのメダルが貯えられている場合、メダル送出シュートからのメダルがメダル受皿から零れる可能性があり、払出機で払出されたメダルを直ちにメダル受皿の投入させないでメダル送出シュートの空間に保有させることが好ましい場合もあり、そしてメダル受皿の状況が良ければメダル送出シュートからメダル受皿へ迅速に移送できることが望まれていた。
【０００３】
更に、特許文献５には貸機の前面に開口したメダル払出口から吐出されるメダルをスラット状の複数の案内部材を一部重ねるように連接して屈曲可能なメダル払出路を形成し、同メダル払出路を滑らせて先端の貯部まで送り出す構造のものが開示されている。しかしながら、この引用文献５のメダル払出路の自重及びこれに貯えたメダルの重量とはその基端のリンク機構で支持するため、前記重量のモーメントは全て片持ちのリンク機構に荷重される。そのため、メダル払出路を長くすると案内部材の枚数が増加し重量が大きくなり、基端のリンク機構に大きな荷重・モーメントが負荷してリンク機構が破損し易いと判断される。特に、先端の貯部にはメダルが貯まり、しかも空中に浮くように支持されているのでこのメダルを手で握って遊技機のメダル投入口まで運ぶため、その操作中にこの先端の貯部には手の重み・手からの加圧力が作用するので、リンク機構がこれらの力によるモーメントで破損し易いものとなっている。
【０００４】
しかし、前記特許文献１〜４のメダル送出シュートは払出したメダルは直接メダル受皿へ投入するもので、メダル受皿からメダルが零れる可能性があった。
更に，メダル貸機と隣接して配置される遊技機との島台での配置関係又は遊技機の大きさ・寸法が違うものが交換配置される場合等において、貸機前面から遊技機のメダル受皿までの前後・左右の長さが大きく変化した場合において、メダル送出シュートの伸縮・屈曲のみの対応では限界があって、メダル貸機の前面に取付けるメダルシュートの構造寸法・長さが異なるものに全面的に交換しなくてはならない場合があった。
【先行技術文献】
【特許文献】
【０００５】
【特許文献１】特開２００６−１３６４０３号公報
【特許文献２】特開２００８−４８８８９号公報
【特許文献３】特開２００４−１９５０７５号公報
【特許文献４】特開２００７−２９５１６号公報
【特許文献５】特開２０１３−３９２３４号公報
【発明の概要】
【発明が解決しようとする課題】
【０００６】
本発明が解決しようとする課題は、従来のメダル貸機の問題点を解消し、メダル貸機と遊技機との配置が変更された場合又は別の寸法形状の遊技機に交換されてもメダル貸機のメダルを配置・寸法形状に対応した所要の位置に供給できるようにすることにある。しかも、交換されてもメダル送出シュートに強度高く連結でき、メダルの重量又は遊技者の手との接触で変形・破損しにくいものにすることにある。更に、貸機から払い出されるメダルを遊技機のメダル受皿の近くまで送給して、メダル受皿への移載タイミングは遊技者の判断で適切な時機で行えるようにできるメダル貸機を提供することにある。本発明の別の課題は、従来の問題点を解消し、払出すメダルの払出し先のトレイ又はメダル送出シュートと近接してメダル投入口を設けてこれらの設置個所を集約し、しかもメダル投入口への異物の投入を抑えられ、更にメダルのメダル投入口への投入時のメダル零れを少なくできるメダル貸機を提供することにある。
【課題を解決するための手段】
【０００７】
かかる課題を解決した本発明の構成は、
１）  メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出してメダルを供給できるメダル貸機に於いて、
貸機前面に貸機内の払出路に接続された筒状のメダル払出ノズルを前方下向きに突出するように固設し、同メダル払出ノズルの先端部にメダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにした、メダル貸機
２）  前記メダル払出ノズルの先端部に前記メダル送出シュートの基端部を嵌合する長さを前後方向に調整できるようにし、嵌合位置の調整でメダル送出シュートの先端までの長さを調整可能とした、前記１）記載のメダル貸機
３）  メダル払出ノズル及びメダル送出シュートの基端部の嵌合部の断面形状が角筒状である、前記１）又は２）いずれか記載のメダル貸機
４）  メダル払出ノズルが、貸機前面でメダルを供給する遊技機に近い左右方向に偏寄した位置で前方下向きに突出するように固設させたものである、前記１）〜３）いずれか記載のメダル貸機
５）  メダル送出シュートの先端にメダルを貯えられるトレイ部を設けた、前記１）〜４）いずれか記載のメダル貸機
６）  前記トレイ部の長さが調整可能で、貯えるメダル数を増減できる、前記５）記載のメダル貸機
７）  前記トレイ部の側壁を構成する部材の一部が前記メダル受皿に向けて開放可能の構造とし、トレイ部でメダルを貯えるか吐出するか切替えることができる、前記５）又は６）いずれか記載のメダル貸機
８）  貸機前面に設けた連絡通路ブロックの前面に筒状のメダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口を有し且つ下方にメダル投入口から落下するメダルを貸機内の回収路へ案内するメダル吐出路を有するメダル投入管を前記連絡通路ブロックとは別体として備え、前記連絡通路ブロックに前記メダル投入管が前後に所定巾の移動を許容する管収納空間を確保し、同管収納空間に前記メダル投入管を嵌入し、メダル投入管を前後方向に進退可能とした、前記１）〜７）いずれか記載のメダル貸機
９）  前記メダル投入管のメダル投入口の左又は右の口縁に前方に引出された位置で前記メダル投入口を閉鎖する蓋体を枢着するとともに、同蓋体が閉鎖状態でメダル投入管を貸機前面開口を通して前後に進退可能な構造とした、前記８）記載のメダル貸機
１０）  前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、前記９）記載のメダル貸機
１１）  貸機前面に設けた連絡通路ブロックの前面に筒状のメダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口と、同メダル投入口から投入されるメダルを受け止めて所定の下方位置へ傾斜面で誘導するメダル受面と、同メダル受面の前記の誘導される位置に設けたメダル落下口と、前記メダル投入口の側方口縁に起立可能に取付けられた前記メダル投入口を閉鎖する蓋体とを有する受皿状のメダル投入器を別体として備え、前記の連絡通路ブロック上部に前記メダル投入器を前記蓋体を閉じた状態で前後方向に進退自在に取付け、
更に、前記メダル投入器のメダル落下口の下方位置の連絡通路ブロックの内部に落下したメダルを貸機内の回収路へ送るメダル排出路を設けたことを特徴とする、前記１）〜７）いずれか記載のメダル貸機
１２）  前記メダル投入器が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、前記１１）記載のメダル貸機
にある。
【発明の効果】
【０００８】
メダル送出シュートの基端部を貸機前面に突出するように固設した筒状のメダル払出ノズルの先端部に嵌合して脱着可能に連結しているので、貸機の配置・遊技機との距離に応じたメダル送出シュートの長さ・屈曲・トレイ部の形状・寸法が適切な構造・形状・寸法のメダル送出シュートに脱着によって変更ができ、現場・製品に応じた貸機による適したメダル供給ができるものとなる。
しかも、筒状のメダル払出シュートの先端部にメダル送出シュートの基端部が嵌合できるように同じ筒状形状であり、これらを嵌合して所定の嵌合長さで脱着可能に連結するためにメダル送出シュートの自重及びメダルの荷重及びメダル出入れの手の操作力・曲げモーメントがメダル送出シュートの筒状の基端部に荷重されても、それらの先端部・基端部は筒状であり、嵌合しているので二重筒状態で筒の外周・内周面は密着し、しかも所定の嵌合長さで連結している。しかも、メダル払出シュートは貸機前面に固設されるものであるから、メダル送出シュートの基端部は鉛直方向及び水平左右方向の荷重及び高い曲げモーメント荷重に充分耐える強い強度を有する。よって、自重・メダル重み及び手の加圧力がメダル送出シュートに働いても、破損することない高い強度を有する。
更に、メダル送出シュートがメダル払出ノズルと脱着自在に連結でき、しかもその嵌合位置を前後に調整できるものではノズル方向の長さを変更できて、メダル送出シュートの先端までの長さをこの嵌合部分の長さで調整できるものとなる。
【０００９】
本発明によれば、貸機内の払出機から払い出されるメダルはその払出路からメダル送出シュートに送られるが、このメダル送出シュートの先端にはトレイ部がある場合は、払出されたメダルは一時的にこのトレイ部で貯えられ、直ちにメダル受皿へ流入しないようにできる。トレイ部で貯えられるメダル数を超えたメダル数はトレイ部までのメダル送出シュート内に残留する。
しかも、メダル送出シュートは長さ伸縮とシュート途中の屈曲（湾曲）可能であるので、メダル送出シュートの先端のトレイ部はメダル受皿の近くの移載させ易い位置に出来易い。
【００１０】
トレイ部のメダルは手でトレイ部からメダル受皿へ移動させてもよい。
又は、トレイ部の一部壁面が開放可能にするものでは、開放操作すればメダル送出シュート及びトレイ部のメダルを自動的に又は軽い手操作でメダル受皿へ移行できる。
もし、メダル受皿がメダルが多数貯えられていてメダルを移載させない方がよい場合は、開放操作せずにトレイ部を開放せずにメダルを貯えたままにすればよい。その上流のメダルはトレイ部に貯えられたメダルでメダル移動が防止されて、メダルの移動を停止したままにできる。
【００１１】
更に、トレイ部の長さ（面積）が調整できれば、トレイ部に貯えるメダル数を調整できるので、トレイ部に適切な数のメダルを一時貯えるようにできる。
【００１２】
又、メダル送出シュートを取付ける連絡通路ブロックに使用したメダルを貸機側へ戻すメダル投入管を設けたものでは、メダル払出・メダル送出シュート及びメダル投入口をコンパクトに貸機前面に設けることができる。更に、メダル投入口がメダル送出シュートの上方にあるので、メダル投入がシュートに妨げられることなく容易且つ迅速にメダル投入できる。
【００１３】
特に、メダル投入管が連絡通路ブロックに前後に進退自在にすることによって、前方へ引出すことでメダル投入管のメダル投入口を長くしてメダルの投入時の投入口面積を広くして、メダルの零れによるメダルの床・棚への落下を少なくできる。しかもそのメダル投入口に蓋体を設け、蓋体を閉じて貸機内に後退させ、又前に引出して蓋体を略垂直状態にできれば、メダルをメダル投入口から零れることを更に少なく投入できる。
【００１４】
更に、メダル投入口に蓋体がある場合、メダル投入しないときは蓋体を閉じてメダル投入管を後方へ押し込むことで蓋体がメダル投入口を強制閉鎖することとなるので、メダル投入口からタバコ吸殻・ティッシュ等の異物の投入を防ぐことができる。
【００１５】
又、連絡通路ブロックの上方に蓋付メダル投入器を前後に進退自在に取付けたものでも、前方に引出すことでメダル投入口の面積を大きくして、メダルの零れを少なくできる。又、蓋体を閉じて後方に押し込むことで、メダル投入口を蓋体で強制閉鎖され、異物の投入を少なくできる。
【００１６】
本発明では、払出しのメダルのトレイ及びメダル送出シュートの払出機能及びメダル投入口を有するメダル投入器とを共通の連絡通路ブロックに集約したことで、メダルの払出しと投入回収の構造をコンパクトにできた。
【００１７】
更に、本発明のメダル投入器のメダル投入口に蓋体を設けているので、蓋体でメダル投入口を閉鎖できるので異物のメダル投入を少なくできる。特に、蓋体を閉じた状態でメダル投入器を後方に押し込むと、貸機前面開口上縁は蓋が開くのを拘束して蓋は閉じた状態となる。これによって、異物投入をかなり防げる。
【００１８】
本発明のメダル投入器は、メダル落下口へ向けて傾斜したメダル受面を有するので、メダルはその傾斜で滑ってメダル受面の下方に設けたメダル落下口からメダルを円滑に落下させる。落下したメダルは、連絡通路ブロック内の排出路を介して貸機内の回収路へ送り込まれる。一方、ティッシュ・タバコ吸殻・チューインガム等の異物が投入されてもメダル受面で止まって、それより下方へ落下しにくいので異物はこの傾斜したメダル受面で残留し、メダル投入口から異物を手作業で簡単に排除できる。
【００１９】
本発明でメダル投入口の蓋体が前方に引出した状態でメダル投入口の左又は右の口縁上方に略垂直に立上がるメダル投入器では、手に握ったメダルをメダル投入口へ投入するときメダル投入口の口縁の外へ零れるメダルを略垂直状態の蓋体が防いで、メダル投入口の外に零れるメダルを少なくしている。
【００２０】
本発明でメダル送出シュートが伸縮可能で長さが調整可能な構造のものでは、又はメダル払出シュートと脱着自在に連結するものでメダル送出シュートの形状・寸法が異なるものに変更できるものでは、メダル貸機の隣に設置の遊技機のメダル受皿との距離が現場で違っても、シュート長さの調整でメダル送出シュート先がメダル受皿に近接した位置にでき易くなる。
【００２１】
本発明でメダル送出シュートの先端に設けた小トレイ部の構成部材メダル受皿に向けて開放可能の構造となるものでは、小トレイ部に貯えたメダルを手で握ってメダル受皿へ移載するのが小トレイ部の構成部材の一部を開放して小トレイ部に貯えたメダルを押し込んでメダル受皿に迅速に移載できるので、メダル移載が容易となる。
【図面の簡単な説明】
【００２２】
【図１】図１は実施例１のメダル貸機の遊技店での設置を示す説明図である。
【図２】図２は実施例１の基本構造を示す説明図である。
【図３】図３は実施例１の要部である連絡通路ブロックとメダル投入管とメダル送出シュートとその先端の小トレイ部とを示す説明図である。
【図４】図４は実施例１のメダル送出シュートの伸縮・屈曲・小トレイ部の長さ調整と開放の構造及びメダル投入口の蓋の垂直状態の全体を示す説明図である。
【図５】図５は実施例１の要部の連絡通路ブロックにおけるメダル投入管とメダル送出シュートの基端部を示す斜視図である。
【図６】図６は実施例１の連絡通路ブロックとメダル投入管の構造を示す分解説明図である。
【図７】図７は実施例１の連絡通路ブロックの一部切欠構造説明図である。
【図８】図８は実施例１の連絡通路ブロックの平面図である。
【図９】図９は図８のＡ−Ａ断面図である。
【図１０】図１０は図８のＢ−Ｂ断面図である。
【図１１】図１１は実施例１のメダル投入管の一部切欠斜視図である。
【図１２】図１２は実施例１のメダル投入管の平面図である。
【図１３】図１３は図１２のＡ−Ａ断面図である。
【図１４】図１４はメダル投入管のメダル受面を示す説明図である。
【図１５】図１５は実施例１の払出路のメダルのメダル送出シュートまでのメダルの移動を示す説明図である。
【図１６】図１６は実施例１のメダル投入口へメダルを投入している状態を示す斜視図である。
【図１７】図１７は実施例１のメダル投入管でのメダルの移動を示す説明図である。
【図１８】図１８は実施例１のメダル投入管を後方に退却させた状態を示す説明図である。
【図１９】図１９は実施例１のメダル投入シュートの先端の小トレイ部を開放してメダルをメダル受皿へ移動している状態を示す説明図である。
【図２０】図２０は実施例１の小トレイ部の長さ調整機構と、開放機構を示す説明図である。
【図２１】図２１は実施例１のメダル送出シュートの分解斜視図である。
【図２２】図２２は実施例１のメダル送出シュートを伸長した状態の斜視図である。
【図２３】図２３は実施例２のメダル貸機の遊技店での設置を示す説明図である。
【図２４】図２４は実施例２の基本構造を示す説明図である。
【図２５】図２５は実施例２の要部である連絡通路ブロックとメダル投入器とメダル送出シュートとその先端の小トレイ部とを示す説明図である。
【図２６】図２６は実施例２のメダル送出シュートの伸縮・屈曲・小トレイ部の長さ調整と開放の構造及びメダル投入口の蓋の垂直状態の全体を示す説明図である。
【図２７】図２７は実施例２の要部の連絡通路ブロックにおけるメダル投入器とメダル送出シュートの基端部を示す斜視図である。
【図２８】図２８は実施例２の連絡通路ブロックとメダル投入器の構造を示す分解説明図である。
【図２９】図２９は実施例２の連絡通路ブロックの一部切欠構造説明図である。
【図３０】図３０は実施例２の連絡通路ブロックの平面図である。
【図３１】図３１は図３０のＡ−Ａ断面図である。
【図３２】図３２は図３０のＢ−Ｂ断面図である。
【図３３】図３３は実施例２のメダル投入器の一部切欠斜視図である。
【図３４】図３４は実施例２のメダル投入器の平面図である。
【図３５】図３５は図３４のＡ−Ａ断面図である。
【図３６】図３６は図３４のＢ−Ｂ断面図である。
【図３７】図３７は実施例２の払出路のメダルのメダル送出シュートまでのメダルの移動を示す説明図である。
【図３８】図３８は実施例２のメダル投入口へメダルを投入している状態を示す斜視図である。
【図３９】図３９は実施例２のメダル投入器でのメダルの移動を示す説明図である。
【図４０】図４０は実施例２のメダル投入器を後方に退却させた状態を示す説明図である。
【図４１】図４１は実施例２のメダル投入シュートの先端の小トレイ部を開放してメダルをメダル受皿へ移動している状態を示す説明図である。
【図４２】図４２は実施例２の小トレイ部の長さ調整機構と、開放機構を示す説明図である。
【図４３】図４３は実施例２のメダル送出シュートの分解斜視図である。
【図４４】図４４は実施例２のメダル送出シュートを伸長した状態の斜視図である。
【図４５】図４５は本発明の寸法長さを短くしたメダル払出ノズルに脱着自在としたメダル送出シュートの他の例を示す説明図である。
【図４６】図４６は本発明の実施例３，４のメダル貸機を同じ島のスロットル機の間に交互に配置した状態を示す斜視図である。
【図４７】図４７は実施例３のメダル貸機の使用状態を示す斜視図である。
【図４８】図４８は実施例３の貸機内の省略した内部構造とメダル送出シュートの側面を示す説明図である。
【図４９】図４９は実施例３のメダル払出ノズルと連絡通路ブロックとメダル投入管を示す斜視図である。
【図５０】図５０は実施例３の要部を示す分解斜視図である。
【図５１】図５１は実施例３の連絡通路ブロックの内部構造を示す斜視図である。
【図５２】図５２は図５１のＡ−Ａ断面図である。
【図５３】図５３は図５１のＢ−Ｂ断面図である。
【図５４】図５４は実施例３のメダル投入管を示す一部切欠斜視図である。
【図５５】図５５は図５４のＡ−Ａ断面図である。
【図５６】図５６は実施例３の要部を示す分解斜視図である。
【図５７】図５７は実施例３の斜視図である。
【図５８】図５８は実施例３のメダル送出シュートを前方位置で嵌合連結した状態を示す説明図である。
【図５９】図５９は実施例３のメダル投入状態を示す説明図である。
【図６０】図６０は実施例３のメダル投入管の前後に移動した状態を示す縦断面図である。
【図６１】図６１は実施例３のメダル投入状態の平面と側面におけるメダル移動を示す説明図である。
【図６２】図６２は実施例３のトレイ部の非回転状態を示す斜視図である。
【図６３】図６３は実施例３のトレイ部にメダルを貯えた状態を示す斜視図である。
【図６４】図６４は実施例３における平面及び側面での払出メダルの移動状態を示す説明図である。
【図６５】図６５は実施例３のトレイ部を右側に回転させた状態の斜視図である。
【図６６】図６６は実施例３のトレイ部回転を示す説明図である。
【図６７】図６７は実施例４の使用状態を示す説明図である。
【図６８】図６８は実施例４の貸機内の省略した内部構造とメダル送出シュートの側面を示す説明図である。
【図６９】図６９は実施例４の分解斜視図である。
【図７０】図７０は実施例４の斜視図である。
【図７１】図７１は実施例４のメダル供給状態を示す斜視図である。
【図７２】図７２は実施例４のメダルの流れを示す説明図である。
【図７３】図７３は実施例４のトレイ部の開閉ゲートを開放してメダルを受皿へ移送している状態を示す斜視図である。
【図７４】図７４は実施例４のトレイ部の開閉ゲートの開と閉の場合のメダルの状態を示す説明図である。
【図７５】図７５は実施例４の回転部を回転させた状態を示す斜視図である。
【図７６】図７６は実施例４の回転部を回転させ且つトレイ部の長さを短く収縮させた状態を示す斜視図である。
【図７７】図７７は実施例４の回転部の回転とトレイ部の長さ調整の動きを示す説明図である。
【図７８】図７８はメダル投入器を上方に設けた本発明の連絡通路ブロックとメダル払出ノズルの変形例の分解斜視図である。
【図７９】図７９は同変形例を示す要部の斜視図ある。
【図８０】図８０は同変形例の連絡通路ブロックの内部構造を示す一部切欠説明図である。
【図８１】図８１は図８０のＡ−Ａ断面図である。
【図８２】図８２は図８０のＢ−Ｂ断面図である。
【図８３】図８３は同変形例のメダル投入器を示す一部切欠斜視図である。
【図８４】図８４は同変形例のメダル投入器の中央縦断の断面図である。
【図８５】図８５は同変形例のメダル投入器でのメダルの移動を示す説明図である。
【図８６】図８６は連絡通路ブロックにメダル投入口がない実施例５を示す斜視図である。
【図８７】図８７はメダル投入口がない実施例６を示す斜視図である。
【図８８】図８８は実施例５又は６のメダル投入口がない連絡通路ブロックとメダル払出ノズルの構造例を示す斜視図である。
【図８９】図８９はメダル投入口がない連絡通路ブロックとメダル払出ノズルの構造例の貸機前面への取付け状態を示す説明図である。
【図９０】図９０はメダル投入口がない連絡通路ブロックとメダル払出ノズルの構造例の連絡通路ブロックの内部構造を示す斜視図である。
【図９１】図９１は図９０のＡ−Ａ断面図である。
【図９２】図９２は図９０のＢ−Ｂ断面図である。
【図９３】図９３はメダル投入口がない連絡通路ブロックとメダル払出ノズルの構造例の連絡通路ブロックの蓋体を示す説明図である。
【図９４】図９４は図９３のＡ−Ａ断面図である。
【発明を実施するための形態】
【００２３】
本発明のメダル送出シュート２４は実施例１〜６の機構構造に限定するものでなく、もっとシンプルな他の機構のものでもよい。種々の構造・形状・寸法のものが目的用途に応じて採用できる。
本発明のメダル払出ノズル１２の貸機前面での取付位置は、前面左右中央，左側偏寄位置，右側偏寄位置の３タイプである。メダルを供給する遊技機のある側に偏寄させるのが使い易いと判断される。更に、メダル払出ノズル１２の貸機前面の取付高さ位置は、遊技機の送り出すメダルが遊技機のメダル投入口か、メダル受皿かによってその高さが変るので、適切の高さに設定する。
【００２４】
本発明の連絡通路ブロック１はプラスチックで一体成型し、又メダル投入管２０及び蓋体２３とは別体のプラスチック製で一体成型するのがよい。又、メダル送出シュート２４もシュート筒２４１，小トレイ固定部２５１を有する回動シュート２４４，開放ゲート２５２ｃを除いた小トレイスライド部２５２は別体でプラスチックの一体成型するのがよい。
【００２５】
又、本発明のメダル投入管・メダル投入器にはそのメダル投入口に蓋体を取付ける場合と、メダル投入口に蓋体を取付けず常時開放させる場合もあるが、前者の蓋体がある方がメダルの投入と回収ができるので好ましい。
尚、本発明ではメダル投入口を貸機前面に設けない場合と設ける場合がある。設ける場合は、貸機の連絡通路ブロックの位置に設ける場合と、連絡通路ブロック以外の貸機前面位置に設ける場合とがある。
【００２６】
本発明では、メダル貸機に遊技で使用したメダルを貸機内にメダル投入して貸機に回収できるようにするだけの場合と、メダル貸機にメダル投入口を設けて投入したメダル枚数を電子的に記録する場合とがある。
【００２７】
本発明の実施例として、図１〜図２２に示す実施例のメダル貸機Ｇ１のように、メダル投入口を有する前後動して蓋体のメダル投入管をメダル払出ノズルを突設する連絡通路ブロックに上部に設け、メダル投入を可能にする実施例１と、実施例１のメダル投入管に代え、前後動して蓋付のメダル投入器を設けた図２３〜図４４に示す実施例２のメダル貸機Ｇ２とを説明している。
実施例１と実施例２とも本発明の要部で略同一の構造のメダル送出シュートを有する。このメダル送出シュートの構成の符号は共通している。メダル投入する構造が実施例１のメダル貸機Ｇ１ではメダル投入管を使用し、実施例２のメダル貸機Ｇ２ではメダル投入器を使用して異なっている。他の実施例では、メダル投入管，メダル投入器のメダル投入口有りと、メダル投入口なしの例がある。
【実施例】
【００２８】
（実施例１）
本発明の実施例１のメダル貸機Ｇ１を、図１〜２２の図面に基づいて説明する。
本実施例１は、角筒状のメダル払出ノズル１２にこれと嵌合する角筒状のシュート筒２４１と回転できる回動シュート２４４と長さが調整できる小トレイ部２５を有し、しかも小トレイ部２５の先端にはメダル開放ゲート２５２ｃを枢軸した比較的に長くて途中で回転でき、先端に開放ゲート２５２ｃを取付けたトレイ部を備えた長いメダル送出シュート２４を有した構造である。更に、メダル払出ノズル１２を取付けた連絡通路ブロックの上方に長靴状メダル投入管２０のメダル投入口２０ａの口縁にメダル投入口２０ａを閉鎖する蓋体２３が垂直に起立可能に枢着し、しかもメダル投入管２０のメダル投入口２０ａ下方のメダル受面２１は前方が高く、後方が低くなるようにし、又貸機払出機ＨＤから払出されるメダルは連絡通路ブロック１内のメダル誘導路１１を経て、伸縮自在で中間で屈曲自在で更に先端にスライド自在で一端が開放自在なメダル開放ゲート２５２ｃを枢着した小トレイ部２５を設けた例である。
【００２９】
主に図３，５，６，７〜１４に本実施例１のメダル貸機Ｇ１の要部であるメダル送出シュートと連絡通路ブロックとメダル投入口があるメダル投入管の構造を示している。
主に図３，４，１５，１９〜２２は実施例１のメダル送出シュートの構造を示している。
そして、図１，２はメダル貸機の基本構造を示す図面である。
【００３０】
（符号の説明）
実施例１の図１〜２２において、Ｇ１は実施例１のメダル貸機、ＭＨは同メダル貸機Ｇ１内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇ１の細長の貸機ケーシング、ＭＣＯＮはメダル貸機Ｇ１にメダルを供給する上方に配置されたメダル供給コンベア、ＭＳはメダル供給コンベアのメダルをメダル貸機Ｇ１へ送り出すメダル補給路、ＭＣはメダル貸機Ｇ１内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇ１の前面に設けた紙幣投入部、ＫＤＩＳはメダル枚数等を表示する表示器、ＫＣＯＮは貸機内の機器の制御及びメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読書装置を示す。Ｙは遊技機、ＹＳはそのメダル受皿である。
【００３１】
図中、１はプラスチック製で一体成型された連絡通路ブロック、１０は同連絡通路ブロック１の外周壁、１１はその内部に設けた傾斜したメダル誘導路、１２は同メダル誘導路に接続されたメダルを排出するための前記連絡通路ブロック１の前面に前方下方に傾斜するように設けられたメダル払出ノズル、１２１は同メダル払出ノズルの側面にノズル方向に複数個設けた長さ調整用の係止孔、１３は連絡通路ブロック１内に設けた長靴状のメダル投入管２０を収納する管収納空間、１４は連絡通路ブロックを窓部１５と押え枠板１７で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を固着する押え枠板、１７１は同押え枠板の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビスで、先端のナットで上着されている。１９はメダル投入管２０の押し込みをその垂直管部２０ｂと当って停止させる連絡通路ブロック１の後壁である。
【００３２】
図中、２０は前記管収納空間１３に収納された長靴状メダル投入管、２０ａはその上方のメダル投入口、２０ｂはメダル受面２１の傾斜した下周縁から落下するメダルを案内するメダル投入管２０の垂直管部、２０ｃは同垂直管部の下端からメダルを後方下向きに前記回収路ＫＡＩＲへ送り出す傾斜管部、２０ｄは前記垂直管部２０ｂの通路と傾斜管部２０ｃの通路とから形成されるメダル吐出路、２０ｅはメダル投入管２０の管後壁である。２１はメダル投入管２０のメダル投入口２０ａの下方途中に設けた前方が高く後方が低く且つメダル投入口の右側口縁壁に向って左右に傾斜したメダル受面、２２はメダル投入管２０の下方にあるメダル吐出路２０ｄのメダル排出口、２３はメダル投入口２０ａに枢着した蓋体、２３１は同蓋体を枢着する枢着ピン、２３２は蓋体２３側に設けた枢着ピン２３１のピン受、２３３はメダル投入口２０ａの口縁に設けたピン軸支部、２３４は蓋体２３の側端を少し張り出した把手部である。
【００３３】
２４は連絡通路ブロック１の前部で前方に突出したメダル払出ノズル１２に取付けたメダル送出シュートである。２４１はメダル払出ノズル１２に嵌装する角筒状のシュート筒、２４２は同シュート筒の先端に形成するシュートを屈曲させる屈曲部２４３の為の円形状の上下ある回転座面、２４３はシュート筒２４１に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止孔１２１と係合してその長さを決める加圧片、２４５ａは同加圧片の内側に突出させた係止ピンであって、メダル払出ノズル１２の係止孔１２１に挿入してシュート筒２４１をメダル払出ノズル１２に脱着自在に連結させるためのものである。
【００３４】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアーム２５２ａを加圧して脱落しないようにする加圧片、２５１ｃは加圧片２５１ｂの内側に突設させた係止突起であって、ピン穴２５２ｆに嵌合して小トレイスライド部２５２のスライドを止めて固定させるものである。２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイを形成する。２５２ｆはスライドアーム２５２ａに設けられたスライド係止用の複数のピン穴である。
【００３５】
（払出メダルの流れ）
払出メダルの流れは主に図１〜１０，１５，１６，１９〜２２に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て小トレイ部２５へ送られ、ここに一時貯えられる。
【００３６】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５の係止ピン２４５ａが係合するメダル払出ノズル１２の側面の複数ある係止孔１２１を選択することでメダル払出ノズルの前方突出の長さを調整できる。
【００３７】
更に、メダル払出ノズル１２の先端の小トレイ部２５も小トレイスライド部２５２をスライドしてスライドアーム２５２ａに設けた複数のピン穴２５２ｆを選択して小トレイ固定部２５１の加圧片２５１ｂの係止突起２５１ｃに嵌合することで所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００３８】
更に、小トレイ部２５の先端にはメダル開放ゲート２５２ｃが開閉自在に枢支されている。通常は開放ゲート２５２ｃを降ろして小トレイ部２５の先端トレイ壁を形成し、小トレイ部２５でメダルｍを一時貯えられるようにする。小トレイ部２５のメダルを遊技機Ｙのメダル受皿ＹＳへ移載するときは開放ゲート２５２ｃを上方に持ち上げれば、小トレイ部２５のメダルはその開放ゲート２５２ｃがない吐出口２５２ｅからメダル受皿ＹＳへ移動が容易にできる。
又は、貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。
【００３９】
このように、メダル送出シュート２４はシュート筒２４１の進退による長さ調整・屈曲部２４３の回転角度調整及び小トレイ部２５のスライド調整することで、その先端の小トレイ部２５の位置を広い範囲で所定の位置に配置できる。これによって、メダル貸機Ｇと遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。
【００４０】
（メダル投入について）
メダル投入のメダルの流れ及び蓋の開閉とメダル投入管の動きは、主に図１，２，３〜８，１１〜１４，１６〜１８に示している。
ゲームを清算する場合、又はメダル受皿ＹＳのメダルが多くなってメダルをメダル貸機Ｇへ戻してメダル受皿ＹＳを空にしてメダル受け入れを可能にし、戻したメダルはメダル情報として電気的に処理するようにする場合に、遊技者が使用したメダル受皿ＹＳ内のメダルｍをメダル貸機Ｇのメダル投入口２０ａへ投入する。通常、メダル投入口２０ａは図３，５，１５，１８，１９，２２に示すように蓋体２３で閉鎖されている。しかも、図１４に示すようにメダル投入管２０及びその蓋体２３とも貸機ケーシングＫＣ内にそれらの後部が挿入されるようになっている。蓋体２３の後部は貸機前面壁ＫＣＦの窓部１５から貸機内に挿入していて、蓋体２３の後方上面は窓部１５の上の内周縁に当って蓋体２３が上方向へ回動することを止めている。これによって、蓋体２３のメダル投入口２０ａの閉鎖状態を保持する。このように、蓋体２３はこの位置でメダル投入口２０ａを閉鎖状態に保持して異物の投入ができない状態となっている。
【００４１】
メダル投入口２０ａにメダルを投入する場合は、遊技者は図１６，１７に示すようにメダル投入管２０を前方に引出すと蓋体２３は窓部１５の上内周縁からの拘束がなくなり、蓋体２３は枢着ピン２３１まわりに回動して開くことができる。蓋体２３を回動する際、蓋体２３の中央右側にある把手２３４に指を掛けて指を持ち上げれば、蓋体２３は容易に回動できる。そして、蓋体２３が回動すると略垂直の位置でメダル投入口２０ａの後方口縁上方位置に突設させた押え枠板１７の蓋体垂直ストッパ片１７２に当って、垂直又はやや左側に少し傾く略垂直で保持される。
蓋体２３を開いて垂直の状態にして、手の平内に収めたメダルｍをメダル投入口２０ａに落下させる（図１６，１７参照）。メダル投入口２０ａを超えて左方向に落下するメダルは垂直な蓋体２３の内面に当って右方向に返されて、メダル投入口２０ａに落下すること及びメダル投入口２０ａも前方に長くなることでメダルの零れが少なく、メダルｍをメダル投入口２０ａへ確実に投入できる。
【００４２】
メダル投入口２０ａ内に落下したメダルｍは、図６，１１，１２，１３，１４，１７，１８に示すように後方と右側に低くなるように傾いたメダル受面２１に落下し、その傾斜に従って後方・右側に滑りながらメダル投入管２０の後方のメダル吐出路２０ｄの垂直管部２０ｂを落下し、更にその下方の貸機内方向に傾斜管部２０ｃの先端のメダル排出口２２から貸機内のメダルカウンターＭＣへメダルを送る回収路ＫＡＩＲへ送り出す。
【００４３】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルは貸機下方に配装されたメダル回収コンベアＭＫＡＩへ送られる。
【００４４】
本実施例１のメダル貸機Ｇ１は、メダル投入口２０ａを前後させるのに、別体のメダル投入管２０を別体として連絡通路ブロック１の管収納空間１３内で前後移動させる構造であるので、連絡通路ブロック１と前後移動するメダル投入口２０ａとその蓋体２３の構造を一体的にする場合に比べて構造が簡素化され、又製造・組立を容易にできる。又、連絡通路ブロック１にメダル投入口とその排出路及び払出メダルのメダル誘導路とその前面にトレイ又はメダル送出シュートを設け、これら機能をコンパクトに集約している。
【００４５】
（実施例２）
以下、実施例２について説明する。
本発明の実施例２のメダル貸機Ｇ２を、図２３〜４４の図面に基づいて説明する。
本実施例のメダル貸機Ｇ２は、そのメダル送出シュート２４は実施例１のメダルシュートと同じ構造・寸法である。メダルはメダル投入器３０に投入するものである。メダル投入器３０のメダル投入口３０ａの口縁にメダル投入口３０ａを閉鎖する蓋体３３が垂直に起立可能に枢着し、同蓋体３３を閉じた状態で前後に進退できるようになっている。しかもメダル投入器３０のメダル投入口３０ａ下方に設けたメダル受面３１は前方が高く、後方が低くなるように傾斜させ、後方の低い位置にメダル落下口３１ａを設けている。又貸機払出機ＨＤから払出されるメダルは連絡通路ブロック１内のメダル誘導路１１を経て、伸縮自在で中間で屈曲自在で更に先端にスライド自在で一端が開放自在なメダル開放ゲート２５２ｃを枢着した小トレイ部２５を設けた例である。
更に、メダル投入器３０の構造は、連絡通路ブロック１を構成する縦の区画壁１０ａの区画壁上端に前後に長い上方を開放した直方体容器に近い受皿状のメダル投入器３０を載置して支持し、メダル投入器３０の後方の下部に所定間隔離した二本の前後方向に延びたガイド片３０ｄを対向して垂設していて、同ガイド片３０ｄの間に連絡通路ブロック１の中間にある内部の前後に延びた縦の区画壁１０ａに差し込んで、メダル投入器３０を前後方向に安定して進退自在としている。
【００４６】
主に図２５，２７，２８，２９〜３９に本実施例２の要部であるメダル送出シュート２４と連絡通路ブロック１とメダル投入口３０ａがあるメダル投入器３０の構造を示している。
主に図２５〜３０，３２，４０〜４４は実施例２のメダル送出シュート２４の構造を示している。このメダル送出シュート２４は実施例１のものと略同じで、符号も共通である。
そして、図２３，２４はメダル貸機Ｇ２の基本構造を示す図面である。
【００４７】
（実施例２の図面の符号の説明）
図２３〜４４において、Ｇ２は実施例２のメダル貸機、ＭＨは同メダル貸機Ｇ２内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇ２の細長の貸機ケーシング、ＭＣＯＮはメダル貸機Ｇ２にメダルを供給する上方に配置されたメダル供給コンベア、ＭＳはメダル供給コンベアのメダルをメダル貸機Ｇ２へ送り出すメダル補給路、ＭＣはメダル貸機Ｇ２内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇ２の前面に設けた紙幣投入部、ＫＤＩＳはメダル枚数等を表示する表示器、ＫＣＯＮは貸機内の機器の制御及びメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読み書き装置を示す。Ｙは遊技機、ＹＳはそのメダル受皿である。これらの実施例２の図面の符号は、実施例１のものと同じにしている。
【００４８】
図中、１はプラスチック製で一体成型された連絡通路ブロック、１０は同連絡通路ブロック１のブロック外周壁、１０ａは連絡通路ブロック内部に設けた縦の区画壁、１０ｂはメダル投入器３０を前後に摺動させて支持する同区画壁１０ａの区画壁上端、１０ｃはメダル投入器３０のメダル落下口３１ａから下方に落下するメダルを貸機ケーシングＫＣ内のメダルの回収路ＫＡＩＲへ誘導して送る区画壁１０ａとブロック外周壁１０と貸機内に向って傾斜した滑面板１０ｄによって形成されたメダル排出路、１０ｄは滑面板、１０ｅは区画壁１０ａの後端で上方に突出させた器ストッパ突起、１１は連絡通路ブロック１の内部に設けた傾斜したメダル誘導路、１２は同メダル誘導路に接続されたメダルを排出するための前記連絡通路ブロック１の前面に前方下方に傾斜するように設けられたメダル払出ノズル、１２１は同メダル払出ノズルの側面にノズル方向に複数個設けた長さ調整用の係止孔、１４は連絡通路ブロックを窓部１５と押え枠板１７で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を固着する押え枠板、１７１は同押え枠板１７の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビスである。上記１〜１８の符号は実施例１，２共通である。
【００４９】
図中、３０〜３３４の符号は実施例２のメダル投入器に関する符号である。３０はメダル投入器、３０ａはその上方のメダル投入口、３０ｂはメダル投入器３０の器外周壁、３０ｃはメダル投入器３０の後壁部分である器後壁、３０ｄはメダル投入器３０の下部中央に設けた一対のガイド片、３０ｅは器外周壁３０ｂの左右下端と器後壁３０ｃの後下端とのコーナー部に形成したストッパ片受凹部、３１はメダル投入器３０のメダル投入口３０ａの下方位置に設けたメダル落下口３１ａに向って低くなるメダル受面、３１ａはメダル投入器３０のメダル落下口である。又、３３は前記メダル投入口３０ａを閉鎖できる器外周壁３０ｂに枢着された蓋体、３３１はその枢着ピンで、反対側にはナットが螺着されている。３３２はピン受、３３３はピン軸支部、３３４は蓋体３３の右側中央に張り出した把手である（図２７〜３１，３３〜３７参照）。
【００５０】
２４は連絡通路ブロック１の前部で前方に突出したメダル払出ノズル１２に取付けたメダル送出シュートである。２４１はメダル払出ノズル１２に嵌装する角筒状のシュート筒、２４２は同シュート筒の先端に形成するシュートを屈曲させる屈曲部２４３の為の円形状の上下ある回転座面、２４３はシュート筒２４１に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止孔１２１と係合してその長さを決める加圧片である。上記２４〜２４５の符号は実施例１，２に共通である。
【００５１】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアームを加圧して脱落しないようにする加圧片、２５１ｃは係止突起、２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイを形成する。２５２ｆはピン穴である。この２５〜２５２ｆの符号も実施例１，２の共通としている。
【００５２】
（実施例２の払出メダルの流れ）
払出メダルの流れは主に図２３〜３２，４０〜４４に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て小トレイ部２５へ送られ、ここに一時貯えられる。
【００５３】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５が係合するメダル払出ノズル１２の側面の複数ある係止孔１２１を選択することでメダル払出ノズルの長さを調整できる。
【００５４】
更に、メダル払出ノズル１２の先端の小トレイ部２５も小トレイスライド部２５２をスライドして所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００５５】
更に、小トレイ部２５の先端にはメダル開放ゲート２５２ｃが開閉自在に枢支されている。通常は開放ゲート２５２ｃを降ろして小トレイ部２５の先端トレイ壁を形成し、小トレイ部２５でメダルｍを一時貯えられるようにする。小トレイ部２５のメダルを遊技機Ｙのメダル受皿ＹＳへ移載するときは開放ゲート２５２ｃを上方に持ち上げれば、小トレイ部２５のメダルはその開放ゲート２５２ｃがない吐出口２５２ｅからメダル受皿ＹＳへ移動が容易にできる。
又は、貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。
【００５６】
このように、メダル送出シュート２４はシュート筒２４１の進退による長さ調整・屈曲部２４３の回転角度調整及び小トレイ部２５のスライド調整することで、その先端の小トレイ部２５の位置を広い範囲で所定の位置に配置できる。これによって、メダル貸機Ｇ２と遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。これらは実施例１，２のメダル送出シュートで共通である。
【００５７】
（実施例２のメダル投入について）
メダル投入のメダルの流れ及び蓋の開閉とメダル投入器の動きは、主に図２３，２４，２５〜３１，３３〜３９に示している。この実施例２のメダル投入の構造とメダルの流れは、実施例１のものと異にしている。
ゲームを清算する場合、又はメダル受皿ＹＳのメダルが多くなってメダルをメダル貸機Ｇ２へ戻してメダル受皿ＹＳを空にしてメダル受け入れを可能にし、戻したメダルはメダル情報として電気的に処理するようにする場合に、遊技者が使用したメダル受皿ＹＳ内のメダルｍをメダル投入器３０のメダル投入口３０ａへ投入する。通常、メダル投入口３０ａは図２５，２７，３７，４１に示すように蓋体３３で閉鎖されている。しかも、図３７に示すようにメダル投入器３０及びその蓋体３３とも貸機ケーシングＫＣ内にそれらの後部が挿入されるようになっている。蓋体３３の後部は貸機前面壁ＫＣＦの窓部１５から貸機内に挿入していて、蓋体３３の後方上面は窓部１５の上の内周縁に当って蓋体３３が上方向へ回動することを止めている。これによって、蓋体３３のメダル投入口３０ａの閉鎖状態を保持する。このように、蓋体３３はこの位置でメダル投入口３０ａを閉鎖状態に保持して異物の投入ができない状態となっている。
【００５８】
メダル投入口３０ａにメダルを投入する場合は、遊技者は図３８，３９に示すようにメダル投入器３０を前方に引出すと蓋体３３は窓部１５の上内周縁からの拘束がなくなり、蓋体３３は枢着ピン３３１まわりに回動して開くことができる。蓋体３３を回動する際、蓋体３３の中央右側にある把手３３４に指を掛けて指を持ち上げれば、蓋体３３は容易に回動できる。そして、蓋体３３が回動すると略垂直の位置でメダル投入口３０ａの後方口縁上方位置に突設させた押え枠板１７の蓋体垂直ストッパ片１７２に当って、垂直又はやや左側に少し傾く略垂直で保持される。
蓋体３３を開いて垂直の状態にして、手の平内に収めたメダルｍをメダル投入口３０ａに落下させる（図３８，３９参照）。メダル投入口３０ａを超えて左方向に落下するメダルは垂直な蓋体３３の内面に当って右方向に返されて、メダル投入口３０ａに落下すること及びメダル投入口３０ａも前方に長くなることでメダルの零れが少なく、メダルｍをメダル投入口３０ａへ確実に投入できる。
【００５９】
メダル投入口３０ａ内に落下したメダルｍは、図２８〜３９に示すように後方と右側に低くなるように傾いたメダル受面３１に落下し、その傾斜に従って後方・右側に滑りながらメダル投入器３０のメダル落下口３１ａからメダル排出路１０ｃへ落下し、貸機内のメダルカウンターＭＣへメダルを送る回収路ＫＡＩＲへ送り出す。
【００６０】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルは貸機下方に配装されたメダル回収コンベアＭＫＡＩへ送られる。
【００６１】
本実施例２のメダル貸機Ｇ２は、メダル投入口３０ａを前後させるのに、別体のメダル投入器３０の後方下部に設けた一対のガイド片３０ｄの間に連絡通路ブロック１の中央にある前後方向の縦の区画壁１０ａを挿入することで、メダル投入器３０を前後方向に安定的に移動可能にしている。メダル投入器３０は、連絡通路ブロック１のブロック外周壁１０の上端及び複数の区画壁上端１０ｂに置かれて摺動して前後できるようになっている。しかも、メダル投入器３０の押し込みはその後方下端のストッパ片受凹部３０ｅが連絡通路ブロック１のブロック外周壁１０の左右の上方後端の固定された器ストッパ突起１０ｅと当って停止される。又、図２８，３９に示すようにメダル投入器３０の引出しの停止は、その器後壁３０ｃの上端部分が押え枠板１７の開口１７１の上方開口周縁と当ってなされる。
【００６２】
このように、連絡通路ブロック１には前後進退するメダル投入器３０のメダル投入口と、その排出路及び払出メダルのメダル誘導路とその前面にトレイ又はメダル送出シュートを設け、これら機能をコンパクトに集約している。
【００６３】
図４５に示すメダル送出シュートの例は、前記実施例２のメダル払出ノズル１２に脱着自在に取付けたメダル送出シュート２４のシュート筒２４１の長さ，回動シュート２４４の長さが短いものに交換して嵌合した例であり、このように寸法が短いメダル送出ノズル２４に交換すれば、その先端の小トレイ部２５の貸機前面壁ＫＣＦからの前方位置を短くし、又その高さもやや高い位置にできるものとなる。このように、メダル送出シュート２４を前方下向きに突出したメダル払出ノズル１２に脱着自在にし、種々の寸法・形状のメダル送出シュートを用意すれば、前方寸法・高さ等の調整がメダル送出シュート２４の交換でできるようになる。
【００６４】
（実施例３）
図４６〜６６に示す実施例３は、箱型の連絡通路ブロック１の遊技機Ｙに近い左側に偏寄した位置でメダル払出ノズル１２が前方下向きに固設されていて、メダル送出シュート３４は短く、その先端部に左右方向に回転できる容器型トレイ部３５を設け、更に連絡通路ブロック１の上部に蓋付長靴状のメダル投入管２０を前後動自在に設けた例である。この実施例３では、払出されたメダルはメダル送出シュート３４の先端の容器型トレイ部３５に一時貯えられるものである。
【００６５】
この実施例３では、メダル送出シュート３４は長さが実施例１，２のものに比べかなり短いシュート筒３４１と、その後端に設けたやや大きめの容器型トレイ部３５を回転自在に取付けている。よって、この実施例３では払い出されるメダルはこの容器型トレイ部３５に収まり、遊技者が手でもって容器型トレイ部３５内のメダルを取り出して遊技機Ｙのメダル投入口に直接投入するか、又はそのメダル受皿ＹＳへ移して使用する例である。
【００６６】
この実施例３は、図４７，４８に示すようにメダル送出シュート３４は短いシュート筒３４１を用い、容器型トレイ部３５の先端位置は横の遊技機Ｙのメダル受皿ＹＳの先端位置に近いものとなって、容器型トレイ部３５とメダル受皿ＹＳが横並びの状態となってメダルの手による移動を容易にしている。更に、図６６（ａ）に示すようにメダル払出ノズル１２の取付位置を連絡通路ブロック１の遊技機Ｙに近い左側に設けるようにすれば、容器型トレイ部３５はメダル受皿ＹＳと一部が上下に重なるようになって、メダルの移動を容易にしている。遊技機Ｙのガラス扉を開放する場合は図６６（ｂ）の如く、容器型トレイ部３５を右側に回転させれば、遊技機Ｙのガラス扉は容器型トレイ部３５に接触することなく開放できる。
【００６７】
（実施例３の符号の説明）
メダル送出シュート３４関係の構成部分とその先端の容器型トレイ部３５の関係の構成部分以外の構造・機能が似ている相当構成に対して、実施例１，２の符号と同じ符号を使用している。図４６〜６６において、３４は実施例３のメダル送出シュート、３４１は角筒状で長さが短いそのシュート筒、３４１ａは同シュート筒の外周に複数取付けられた加圧片であって、３４１ｂはその加圧片の内側に取付けられたメダル払出ノズル１２の係止孔１２１に挿入されて連結するための係止ピン、３４１ｃはシュート筒３４１の後端に設けた回転座面、３４１ｄはねじ孔である。３５は容器型トレイ部であり、３５ａはトレイ本体、３５ｂはシュート筒３４１の回転座面に接摺する回転受面、３５ｃは同回転受面３５ｂの中心に設けたねじ孔、３５ｄは前記ねじ孔３４１ｄとねじ孔３５ｃとを貫通して回転軸となる回転ねじ、３５ｅは容器型トレイ部の後部に逆ハ字状に取付けられ、その回転角度を所定角度範囲に規制する制動板である。と同時に、折り曲げ部からのメダルのこぼれ防止となる。
【００６８】
（実施例３のメダル払出しについて）
（メダル払出／特に、図４８，５０，５１，５３，５６，６３，６４参照）
実施例３における払出しメダルの流れは、前記実施例１，２の場合と同様に貸機ケーシングＫＣ内の払出機ＨＤ、払出路ＭＲ、連絡通路ブロック１内のメダル誘導路１１（図６４参照）からメダル払出ノズル１２を経て、メダル送出シュート３４のシュート筒３４１，容器型トレイ部３５へと流れていく。
容器型トレイ部３５に収まったメダル状態を図６３に示している。
【００６９】
この実施例３では、シュート筒３４１のメダル払出ノズル１２に対して嵌合連結位置には加圧片３４１ａの係止ピン３４１ｂをどの係止孔１２１に係止するかによって長さを長短できる。図５７，５９，６５はメダル払出ノズル１２の基端に近い位置までシュート筒３４１が嵌入されて、短い状態である。
図６２，６３は嵌合は中間位置にあり、図５８は最も前方で浅く嵌合連結した状態であり、これに応じて容器型トレイ部３５は前方へ突出長さが短長できるようになっている。
【００７０】
又、容器型トレイ部３５は回転ねじ３５ｄまわりに左右に回動できるようになっている。図６５，６６（ｂ）に右側に回動させた状態を示し、図６６（ａ）は容器型トレイ部３５は非回転でもメダル払出ノズル１２が貸機前面の左側に偏寄しているので、遊技機Ｙの受皿ＹＳの右端部分の上方に位置し、容器型トレイ部３５からメダルを受皿ＹＳへ手で容易に移動し易いようになっている。この位置で容器型トレイ部３５を時計方向に左側に回転させると、その重なり部分の面積が増えて、メダル移動を更に容易にできる。
【００７１】
（実施例３のメダルの投入について）
実施例３のメダルの投入は、前記の実施例１のメダル投入管によるメダル投入と同様に、メダル投入管２０を前方へ引出して蓋体２３を開いて直角にしてメダル投入口２０ａを開放して、メダルｍをメダル投入口２０ａへ落下すれば傾斜したメダル受面２１で一部受けられて、その下方の垂直管部２０ｂ，傾斜管部２０ｃのメダル吐出路２０ｄを経て、メダル排出口２２から貸機内のメダルカウンターＭＣへ送られ、カウント後回収路ＫＡＩＲを経てメダル回収コンベアＭＫＡＩへ送られる。
【００７２】
メダル投入管２０の構造は図５０，５１，５２，５３，５４，５５に示されていて、そのメダルの投入とメダルの移動は図５９，６１（ａ），（ｂ）に示されている。実施例１と同様であるので、その移動の詳細は省略する。
この実施例でも蓋体２３があるので、異物（吸殻，チューインガム，ティッシュ等）の投入を少なくしている。
【００７３】
（実施例４）
図６７〜７７に示す実施例４は、前記実施例３のメダル払出ノズル１２に嵌合連結する短いシュート筒３４１の先端に取付けた容器型トレイ部３５に代えて、実施例１，２の回動シュート２４４と同様にシュート筒３４１に先端部が湾曲した回動シュート２４４を回転自在に取付け、更に回動シュート２４４の左方向に湾曲した先端部に実施例１，２と同様な長さ調整でき、且つ先端にメダル開放ゲート２５２ｃを有する小トレイ部２５を設けた例である。実施例１，２，３の相当構成には、実施例１，２，３と共通の符号を使用している。
【００７４】
本実施例４では、小トレイ部２５のスライド底面２５２ｂは左方向に従って下がるように傾斜していて、その終端及び開放ゲート２５２ｃは横の遊技機Ｙのメダル受皿ＹＳの内側に突入するようになって、開放ゲート２５２ｃを上方に持ち上げると、小トレイ部２５に送られたメダルはその傾斜で自動的にメダル受皿ＹＳへ移動できるようになっている。
【００７５】
そして、実施例１，２のシュート筒２４１に比べて本実施例４のシュート筒２４１は長さが短く、先端の小トレイ部２５の前方への突出寸法を少なくしている。又、実施例１，２の回動シュート２４４に比べ実施例４の回動シュート２４４は円弧状に湾曲していて、且つ小トレイ部２５をやや前方に延びるように左側に向けて下向きに取付けている。これによって、前方に向けて滑ってくるメダルｍを滑らかに左方向に方向転換しながら、小トレイ部２５の底面の下向き傾斜で受皿ＹＳの方向に誘導して移動させ易くしている。図７１，７２，７４（ａ）はメダル開放ゲート２５２ｃを閉鎖状態として、小トレイ部２５にメダルを一時貯えられる場合のメダルの流れを示す。図７３及び図７４（ｂ）はメダル開放ゲート２５２ｃを持ち上げて開放した場合のメダルの流れを示す。
【００７６】
図７５，７７（ａ）は小トレイ部２５の長さをスライドさせて長くさせ、且つ回動シュート２４４を右方向（反時計方向）に回転させた状態である。図７６，７７（ｂ）は小トレイ部２５の長さを短くして回動シュート２４４を右方向に回転させた状態を示す。
【００７７】
図６７，７０，７１，７２，７３，７４は回動シュートを回転させず、且つ小トレイ部２５を長くした状態の図面である。
【００７８】
実施例４の連絡通路ブロック１内のメダルの払出し、メダル誘導路１１，メダル払出ノズル１２でのメダルｍの移動は前記実施例３の構造と同じであり、移動も実施例３の通りである。更に、蓋体２３付きのメダル投入管２０の構造とメダル移動は実施例３と同様であるので、その構造・メダル移動について省略する。
【００７９】
（本発明の連絡通路ブロックとメダル払出ノズルの変形例／図７８〜８５参照）
前記実施例３，４において、メダル投入構造をメダル投入管の構造から実施例２と同様のメダル投入器の構造に代えた場合の、連絡通路ブロック１とメダル払出ノズル１２の構造を示す変形例である。これに実施例３，４の各メダル送出シュート２４（シュート筒と容器型トレイ部３５，又はシュート筒と回動シュート２４４と小トレイ部２５）を嵌合連結して取付ければ、メダル投入構造が違うのみで他は実施例３，４の別例とすることができるものである。この変形例に実施例１，２のタイプのメダル送出シュート２４も嵌合連結できる。図７８〜８５において、メダル送出シュート２４の構造及び貸機の内部・前面壁の構造は省略している。本例に実施例１，２，３，４のタイプのメダル送出シュート２４を連結してメダル貸機として使用できるものである。
【００８０】
図７８〜８５において、実施例２のメダル投入器３０と相当の構成については、共通の符号を使用している。この図７８〜８５の変形例のメダル投入器３０が実施例２のメダル投入器３０との違いは、実施例２のメダル投入器３０の前後進退移動をガイドするのをその下方に設けた一対のガイド片３０ｄ間に区画壁１０ａを挿入することで前後進退をさせる構造に対し、図７８〜８５の変形例との違いは変形例ではメダル落下口の口縁が少し下方に延びて、この口縁の側面部分（器外周壁３０ｂ）がブロック外周壁１０及び内部の区画壁１０ａに接触して拘束され、メダル投入器３０を前後に進退させるものとなっている。
【００８１】
そして、実施例２のメダル投入器３０のメダル受面３１，メダル落下口３１ａ，器後壁３０ｃ，メダル排出路１０ｃ，器ストッパ突起１０ｅ，メダル投入口３０ａを有している。又、連絡通路ブロック１の上部にメダル投入器３０の載置収容空間が設けられ、メダル落下口３１ａから落下するメダルを貸機内のホッパ状の回収路ＫＡＩＲまで誘導する傾斜した滑面板１０ｄが底面として設けられたメダル排出路１０ｃを設けている。
【００８２】
又、メダル投入口３０ａの口縁には蓋体３３が枢着ピン３３１によって反時計方向に回転可能に設けている。蓋体３３は閉じた状態でメダル投入器３０とともに貸機ケーシングＫＣ内にその後部を押し込めることが出来、この状態では蓋体３３は開放できず、タバコ吸殻，チューインガム，紙等を投入できないようにしている。メダルを投入するときは、把手３３４をつまんで又は蓋体３３の上面の凹みに指を掛けて前に引けばメダル投入器３０は前方に移動し、その後蓋体３３を回転させてメダル投入口３０ａを前後長く開放し、又蓋体３３を把手３３４を使って直角に起立させ、メダル投入口３０ａからメダルを投入する。メダル投入口３０ａが広い開口面積となり、又蓋体３３がメダルの零れを少なく投入できるようになる。落下口から落下したメダルのカウント・回収は、実施例１，２と同様となっている。
メダル投入器３０の前後移動・蓋体３３の開閉及びメダルの落下と誘導の状態を図８５に示している。尚、メダル払出ノズル１２は貸機前面の中心から左側に偏寄した位置に固設されている。
【００８３】
図８６〜９４は、前記実施例３，４において連絡通路ブロック１の上方にメダル投入口を設けない実施例を示す図面である。これら例では、メダル投入の構造がない分だけ、連絡通路ブロック１の内部構造はシンプルとなり、又連絡通路ブロック１には常時天井蓋５０が取付けられている。
【００８４】
図８６は実施例５であって、実施例３の連絡通路ブロック１の上方は天井蓋５０が取付けられて異物の投入がないようにしている例で、他の構造・作用効果は実施例２と同じである。メダル投入管２０及び管の前後進退構造・メダルの落下路がない分、連絡通路ブロック１の構造はシンプルとなっている。
【００８５】
図８７で示す実施例６は、実施例４で連絡通路ブロック１の上部にメダル投入管２０及びメダルの排出の通路並びにメダル投入管２０の前後進退の構造がないもので、上部には天井蓋が常時取付けられているシンプルな構造となっている。この実施例６ではメダル投入が出来ないが、他は実施例４と同様な構造と作用効果を有する。
【００８６】
図８８，８９，９０，９１，９２，９３，９４は前記実施例５，６に使用する連絡通路ブロック１とメダル払出ノズル１２の構造を示す図面で、連絡通路ブロック１の上方は天井蓋５０で閉鎖され、又実施例３，４の連絡通路ブロック１に比べ大巾にシンプルな構造となっている。この連絡通路ブロック１におけるメダル払出しの誘導路，メダル払出ノズル１２の構造は、実施例３，４のものと同じである。
【産業上の利用可能性】
【００８７】
本発明は、メダルを使用したパチンコ機・スロットル機以外の遊技機の貸機としても使用できる。
【符号の説明】
【００８８】
Ｇ１，Ｇ２，Ｇ３，Ｇ４，Ｇ５，Ｇ６    実施例１〜６のメダル貸機
ＭＨ    メダルホッパー
ＨＤ    払出機
ＫＣ    貸機ケーシング
ＭＲ    払出路
Ｙ    遊技機
ＹＳ    メダル受皿
ＭＣＯＮ    メダル供給コンベア
ＭＳ    メダル補給路
ＭＫＡＩ    メダル回収コンベア
ＭＣ    メダルカウンター
ＫＡＩＲ    回収路
ＳＴ    紙幣投入部
ＫＤＩＳ    表示器
ＫＣＯＮ    コンピュータ
ＫＣＦ    貸機前面壁
ＥＮＤＢ    清算ボタン
ＫＢ    貸出ボタン
ＲＷＣＡＲＤ    ＩＣカード読書装置
ｍ    メダル
１    連絡通路ブロック
１０    ブロック外周壁
１０ａ    区画壁
１０ｂ    区画壁上端
１０ｃ    メダル排出路
１０ｄ    滑面板
１０ｅ    器ストッパ突起
１１    メダル誘導路
１２    メダル払出ノズル
１２１    長さ調整用の係止孔
１３    管収納空間
１４    固定用張出片
１５    窓部
１７    押え枠板
１７１    開口
１７２    蓋体垂直ストッパ片
１８    サラビス
１９    後壁
２０    メダル投入管
２０ａ    メダル投入口
２０ｂ    垂直管部
２０ｃ    傾斜管部
２０ｄ    メダル吐出路
２０ｅ    管後壁
２１    メダル受面
２２    メダル排出口
２３    蓋体
２３１    枢着ピン
２３２    ピン受
２３３    ピン軸支部
２３４    把手
２４    メダル送出シュート
２４１    シュート筒
２４２    シュート筒の回転座面
２４３    屈曲部
２４４    回動シュート
２４４ａ，２４４ｂ    回転盤
２４４ｃ    回転連結ねじ
２４５    加圧片
２４５ａ    係止ピン
２５    小トレイ部
２５１    小トレイ固定部
２５１ａ    スライドアーム挿入空間
２５１ｂ    加圧片
２５１ｃ    係止突起
２５２    小トレイスライド部
２５２ａ    スライドアーム
２５２ｂ    スライド底面
２５２ｃ    メダル開放ゲート
２５２ｄ    ゲート枢支軸
２５２ｅ    吐出口
２５２ｆ    ピン孔
３０    メダル投入器
３０ａ    メダル投入口
３０ｂ    器外周壁
３０ｃ    器後壁
３０ｄ    ガイド片
３０ｅ    ストッパ片受凹部
３１    メダル受面
３１ａ    メダル落下口
３３    蓋体
３３１    枢着ピン
３３２    ピン受
３３３    ピン軸支部
３３４    把手
３４    メダル送出シュート
３４１    シュート筒
３４１ａ    加圧片
３４１ｂ    係止ピン
３５    容器型トレイ部
３５ａ    トレイ本体
３５ｂ    回転受面
３５ｃ    ねじ孔
３５ｄ    回転ねじ
３５ｅ    制動板
５０    天井蓋
５０ａ    嵌合片
【図１】
2018086097.tif 000003
【図２】
2018086097.tif 000004
【図３】
2018086097.tif 000005
【図４】
2018086097.tif 000006
【図５】
2018086097.tif 000007
【図６】
2018086097.tif 000008
【図７】
2018086097.tif 000009
【図８】
2018086097.tif 000010
【図９】
2018086097.tif 000011
【図１０】
2018086097.tif 000012
【図１１】
2018086097.tif 000013
【図１２】
2018086097.tif 000014
【図１３】
2018086097.tif 000015
【図１４】
2018086097.tif 000016
【図１５】
2018086097.tif 000017
【図１６】
2018086097.tif 000018
【図１７】
2018086097.tif 000019
【図１８】
2018086097.tif 000020
【図１９】
2018086097.tif 000021
【図２０】
2018086097.tif 000022
【図２１】
2018086097.tif 000023
【図２２】
2018086097.tif 000024
【図２３】
2018086097.tif 000025
【図２４】
2018086097.tif 000026
【図２５】
2018086097.tif 000027
【図２６】
2018086097.tif 000028
【図２７】
2018086097.tif 000029
【図２８】
2018086097.tif 000030
【図２９】
2018086097.tif 000031
【図３０】
2018086097.tif 000032
【図３１】
2018086097.tif 000033
【図３２】
2018086097.tif 000034
【図３３】
2018086097.tif 000035
【図３４】
2018086097.tif 000036
【図３５】
2018086097.tif 000037
【図３６】
2018086097.tif 000038
【図３７】
2018086097.tif 000039
【図３８】
2018086097.tif 000040
【図３９】
2018086097.tif 000041
【図４０】
2018086097.tif 000042
【図４１】
2018086097.tif 000043
【図４２】
2018086097.tif 000044
【図４３】
2018086097.tif 000045
【図４４】
2018086097.tif 000046
【図４５】
2018086097.tif 000047
【図４６】
2018086097.tif 000048
【図４７】
2018086097.tif 000049
【図４８】
2018086097.tif 000050
【図４９】
2018086097.tif 000051
【図５０】
2018086097.tif 000052
【図５１】
2018086097.tif 000053
【図５２】
2018086097.tif 000054
【図５３】
2018086097.tif 000055
【図５４】
2018086097.tif 000056
【図５５】
2018086097.tif 000057
【図５６】
2018086097.tif 000058
【図５７】
2018086097.tif 000059
【図５８】
2018086097.tif 000060
【図５９】
2018086097.tif 000061
【図６０】
2018086097.tif 000062
【図６１】
2018086097.tif 000063
【図６２】
2018086097.tif 000064
【図６３】
2018086097.tif 000065
【図６４】
2018086097.tif 000066
【図６５】
2018086097.tif 000067
【図６６】
2018086097.tif 000068
【図６７】
2018086097.tif 000069
【図６８】
2018086097.tif 000070
【図６９】
2018086097.tif 000071
【図７０】
2018086097.tif 000072
【図７１】
2018086097.tif 000073
【図７２】
2018086097.tif 000074
【図７３】
2018086097.tif 000075
【図７４】
2018086097.tif 000076
【図７５】
2018086097.tif 000077
【図７６】
2018086097.tif 000078
【図７７】
2018086097.tif 000079
【図７８】
2018086097.tif 000080
【図７９】
2018086097.tif 000081
【図８０】
2018086097.tif 000082
【図８１】
2018086097.tif 000083
【図８２】
2018086097.tif 000084
【図８３】
2018086097.tif 000085
【図８４】
2018086097.tif 000086
【図８５】
2018086097.tif 000087
【図８６】
2018086097.tif 000088
【図８７】
2018086097.tif 000089
【図８８】
2018086097.tif 000090
【図８９】
2018086097.tif 000091
【図９０】
2018086097.tif 000092
【図９１】
2018086097.tif 000093
【図９２】
2018086097.tif 000094
【図９３】
2018086097.tif 000095
【図９４】
2018086097.tif 000096
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出してメダルを隣接した遊技機のメダル受皿へ供給できるメダル貸機に於いて、
前記貸機前面に前記メダル貸機内の払出路に接続された筒状のメダル払出ノズルを前方下向きに突出するように固設し、同メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートを備え、
形状長さを異なる又は前記メダル送出シュートの先端に前記トレイ部の有無で構造を異にするメダル送出シュートのいずれかに交換してメダル払出ノズルの基端部に嵌合して連結することで、メダル送出シュートの先端までの長さ又は先端位置を調整でき、あるいはメダル送出シュートの先端でメダルが一時貯えられるか否かの構造変更が容易にできるようにした、メダル貸機の使用方法。
【請求項２】
前記メダル払出ノズルの先端部に前記メダル送出シュートの基端部を嵌合する長さを前後方向に調整できるようにし、嵌合位置の調整でメダル送出シュートの先端までの長さを調整可能とした構造のメダル貸機を使用した、請求項１記載のメダル貸機の使用方法。
【請求項３】
前記メダル払出ノズル及びメダル送出シュートの基端部の嵌合部の断面形状が角筒状である構造のメダル貸機を使用した、請求項１又は２いずれか記載のメダル貸機の使用方法。
【請求項４】
前記メダル払出ノズルが、貸機前面でメダルを供給する遊技機に近い左右方向に偏寄した位置で前方下向きに突出するように固設させた構造のメダル貸機を使用した、請求項１〜３いずれか記載のメダル貸機の使用方法。
【請求項５】
前記メダル送出シュートの先端に設けられる前記トレイ部の長さが調整可能で、貯えるメダル数を増減できる構造のメダル貸機を使用した、請求項１〜４いずれか記載のメダル貸機の使用方法。
【請求項６】
前記トレイ部の側壁を構成する部材の一部が前記メダル受皿に向けて開放可能の構造とし、トレイ部でメダルを貯えるか吐出するか切替えることができる構造のメダル貸機を使用した、請求項１〜５いずれか記載のメダル貸機の使用方法。
【請求項７】
前記貸機前面に設けた連絡通路ブロックの前面に筒状の前記メダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口を有し且つ下方にメダル投入口から落下するメダルをメダル貸機内の回収路へ案内するメダル吐出路を有するメダル投入管を前記連絡通路ブロックとは別体として備え、前記連絡通路ブロックに前記メダル投入管が前後に所定巾の移動を許容する管収納空間を確保し、同管収納空間に前記メダル投入管を嵌入し、メダル投入管を前後方向に進退可能とした構造のメダル貸機を使用した、請求項１〜６いずれか記載のメダル貸機の使用方法。
【請求項８】
前記メダル投入管のメダル投入口の左又は右の口縁に前方に引出された位置で前記メダル投入口を閉鎖する蓋体を枢着するとともに、同蓋体が閉鎖状態でメダル投入管を貸機前面開口を通して前後に進退可能な構造のメダル貸機を使用した、請求項７記載のメダル貸機の使用方法。
【請求項９】
前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした構造のメダル貸機を使用した、請求項８記載のメダル貸機の使用方法。
【請求項１０】
前記貸機前面に設けた連絡通路ブロックの前面に筒状のメダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口と、同メダル投入口から投入されるメダルを受け止めて所定の下方位置へ傾斜面で誘導するメダル受面と、同メダル受面の前記の誘導される位置に設けたメダル落下口と、前記メダル投入口の側方口縁に起立可能に取付けられた前記メダル投入口を閉鎖する蓋体とを有する受皿状のメダル投入器を別体として備え、前記の連絡通路ブロック上部に前記メダル投入器を前記蓋体を閉じた状態で前後方向に進退自在に取付け、
更に、前記メダル投入器のメダル落下口の下方位置の連絡通路ブロックの内部に落下したメダルを貸機内の回収路へ送るメダル排出路を設けた構造のメダル貸機を使用した、請求項１〜６いずれか記載のメダル貸機の使用方法。
【請求項１１】
前記メダル投入器が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした構造のメダル貸機を使用した、請求項１０記載のメダル貸機の使用方法。
【手続補正２】
【補正対象書類名】明細書
【補正対象項目名】全文
【補正方法】変更
【補正の内容】
【発明の詳細な説明】
【技術分野】
【０００１】
本発明は、スロットル等の遊技場でメダルを使った遊技機に隣接して配置されてメダルを貸出すメダル貸機であって、紙幣投入及び貸出ボタンの操作によってホッパーに貯えているメダルを所要枚数だけ貸機前面に設けたメダル送出シュートに払い出し、メダルを遊技機のメダル受皿へ送り出すメダル貸機のメダルシュートの構造とその使用方法に関する。
【背景技術】
【０００２】
メダル貸機が払出すメダルを、筒状のメダル送出シュートを介して遊技機のメダル受皿へ直接供給する構造のメダル貸機としては、特許文献１，特許文献２，特許文献３，特許文献４及び特許文献５が知られている。
いずれの特許文献１〜４の発明も、貸機から払い出されるメダルはメダル送出シュートのシュート先端が開放され、直接隣接する遊技機のメダル受皿へ直接投入されるものであった。
しかし、遊技機のメダル受皿に多くのメダルが貯えられている場合、メダル送出シュートからのメダルがメダル受皿から零れる可能性があり、払出機で払出されたメダルを直ちにメダル受皿の投入させないでメダル送出シュートの空間に保有させることが好ましい場合もあり、そしてメダル受皿の状況が良ければメダル送出シュートからメダル受皿へ迅速に移送できることが望まれていた。
【０００３】
更に、特許文献５には貸機の前面に開口したメダル払出口から吐出されるメダルをスラット状の複数の案内部材を一部重ねるように連接して屈曲可能なメダル払出路を形成し、同メダル払出路を滑らせて先端の貯部まで送り出す構造のものが開示されている。しかしながら、この引用文献５のメダル払出路の自重及びこれに貯えたメダルの重量とはその基端のリンク機構で支持するため、前記重量のモーメントは全て片持ちのリンク機構に荷重される。そのため、メダル払出路を長くすると案内部材の枚数が増加し重量が大きくなり、基端のリンク機構に大きな荷重・モーメントが負荷してリンク機構が破損し易いと判断される。特に、先端の貯部にはメダルが貯まり、しかも空中に浮くように支持されているのでこのメダルを手で握って遊技機のメダル投入口まで運ぶため、その操作中にこの先端の貯部には手の重み・手からの加圧力が作用するので、リンク機構がこれらの力によるモーメントで破損し易いものとなっている。
【０００４】
しかし、前記特許文献１〜４のメダル送出シュートは払出したメダルは直接メダル受皿へ投入するもので、メダル受皿からメダルが零れる可能性があった。
更に，メダル貸機と隣接して配置される遊技機との島台での配置関係又は遊技機の大きさ・寸法が違うものが交換配置される場合等において、貸機前面から遊技機のメダル受皿までの前後・左右の長さが大きく変化した場合において、メダル送出シュートの伸縮・屈曲のみの対応では限界があって、メダル貸機の前面に取付けるメダルシュートの構造寸法・長さが異なるものに全面的に交換しなくてはならない場合があった。
【先行技術文献】
【特許文献】
【０００５】
【特許文献１】特開２００６−１３６４０３号公報
【特許文献２】特開２００８−４８８８９号公報
【特許文献３】特開２００４−１９５０７５号公報
【特許文献４】特開２００７−２９５１６号公報
【特許文献５】特開２０１３−３９２３４号公報
【発明の概要】
【発明が解決しようとする課題】
【０００６】
本発明が解決しようとする課題は、従来のメダル貸機の問題点を解消し、メダル貸機と遊技機との配置が変更された場合又は別の寸法形状の遊技機に交換されてもメダル貸機のメダルを配置・寸法形状に対応した所要の位置に供給できるようにすることにある。しかも、交換されてもメダル送出シュートに強度高く連結でき、メダルの重量又は遊技者の手との接触で変形・破損しにくいものにすることにある。更に、貸機から払い出されるメダルを遊技機のメダル受皿の近くまで送給して、メダル受皿への移載タイミングは遊技者の判断で適切な時機で行えるようにできるメダル貸機の使用方法を提供することにある。本発明の別の課題は、従来の問題点を解消し、払出すメダルの払出し先のトレイ又はメダル送出シュートと近接してメダル投入口を設けてこれらの設置個所を集約し、しかもメダル投入口への異物の投入を抑えられ、更にメダルのメダル投入口への投入時のメダル零れを少なくできるメダル貸機の使用を提供することにある。
【課題を解決するための手段】
【０００７】
かかる課題を解決した本発明の構成は、
１）  メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出してメダルを隣接した遊技機のメダル受皿へ供給できるメダル貸機に於いて、
前記貸機前面に前記メダル貸機内の払出路に接続された筒状のメダル払出ノズルを前方下向きに突出するように固設し、同メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートを備え、
形状長さを異なる又は前記メダル送出シュートの先端に前記トレイ部の有無で構造を異にするメダル送出シュートのいずれかに交換してメダル払出ノズルの基端部に嵌合して連結することで、メダル送出シュートの先端までの長さ又は先端位置を調整でき、あるいはメダル送出シュートの先端でメダルが一時貯えられるか否かの構造変更が容易にできるようにした、メダル貸機の使用方法
２）  前記メダル払出ノズルの先端部に前記メダル送出シュートの基端部を嵌合する長さを前後方向に調整できるようにし、嵌合位置の調整でメダル送出シュートの先端までの長さを調整可能とした構造のメダル貸機を使用した、前記１）記載のメダル貸機の使用方法
３）  前記メダル払出ノズル及びメダル送出シュートの基端部の嵌合部の断面形状が角筒状である構造のメダル貸機を使用した、前記１）又は２）いずれか記載のメダル貸機の使用方法
４）  前記メダル払出ノズルが、貸機前面でメダルを供給する遊技機に近い左右方向に偏寄した位置で前方下向きに突出するように固設させた構造のメダル貸機を使用した、前記１）〜３）いずれか記載のメダル貸機の使用方法
５）  前記メダル送出シュートの先端に設けられる前記トレイ部の長さが調整可能で、貯えるメダル数を増減できる構造のメダル貸機を使用した、前記１）〜４）いずれか記載のメダル貸機の使用方法
６）  前記トレイ部の側壁を構成する部材の一部が前記メダル受皿に向けて開放可能の構造とし、トレイ部でメダルを貯えるか吐出するか切替えることができる構造のメダル貸機を使用した、前記１）〜５）いずれか記載のメダル貸機の使用方法
７）  前記貸機前面に設けた連絡通路ブロックの前面に筒状の前記メダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口を有し且つ下方にメダル投入口から落下するメダルをメダル貸機内の回収路へ案内するメダル吐出路を有するメダル投入管を前記連絡通路ブロックとは別体として備え、前記連絡通路ブロックに前記メダル投入管が前後に所定巾の移動を許容する管収納空間を確保し、同管収納空間に前記メダル投入管を嵌入し、メダル投入管を前後方向に進退可能とした構造のメダル貸機を使用した、前記１）〜６）いずれか記載のメダル貸機の使用方法
８）  前記メダル投入管のメダル投入口の左又は右の口縁に前方に引出された位置で前記メダル投入口を閉鎖する蓋体を枢着するとともに、同蓋体が閉鎖状態でメダル投入管を貸機前面開口を通して前後に進退可能な構造のメダル貸機を使用した、前記７）記載のメダル貸機の使用方法
９）  前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした構造のメダル貸機を使用した、前記８）記載のメダル貸機の使用方法
１０）  前記貸機前面に設けた連絡通路ブロックの前面に筒状のメダル払出シュートを前方下向きに突設させ、同連絡通路ブロック内部に貸機内の前記払出路のメダルを前記メダル払出シュートへ送り出す誘導路を設け、しかも前記メダル払出ノズルの先端部に前記メダル送出シュートの基端部を嵌合して脱着可能に連結できる構造とし、形状長さが異なる又はメダル送出シュートの先端にメダルを一時貯えられるトレイ部を有するか否かで異なった構造のメダル送出シュートに交換して連結することで、メダル送出シュートの先端までの長さ又は先端位置を調整でき、あるいはメダル送出シュートの先端でメダルが一時貯えられるか否かの構造変更が容易にできるようにするとともに、前記連絡通路ブロックの上方に複数枚のメダルを同時に投入できる開口面積のメダル投入口と、同メダル投入口から投入されるメダルを受け止めて所定の下方位置へ傾斜面で誘導するメダル受面と、同メダル受面の前記の誘導される位置に設けたメダル落下口と、前記メダル投入口の側方口縁に起立可能に取付けられた前記メダル投入口を閉鎖する蓋体とを有する受皿状のメダル投入器を別体として備え、前記の連絡通路ブロック上部に前記メダル投入器を前記蓋体を閉じた状態で前後方向に進退自在に取付け、
更に、前記メダル投入器のメダル落下口の下方位置の連絡通路ブロックの内部に落下したメダルを貸機内の回収路へ送るメダル排出路を設けた構造のメダル貸機を使用した、前記１）〜６）いずれか記載のメダル貸機の使用方法
１１）  前記メダル投入器が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした構造のメダル貸機を使用した、前記１０）記載のメダル貸機の使用方法
にある。
【発明の効果】
【０００８】
メダル送出シュートの基端部を貸機前面に突出するように固設した筒状のメダル払出ノズルの先端部に嵌合して脱着可能に連結しているので、貸機の配置・遊技機との距離に応じたメダル送出シュートの長さ・屈曲・トレイ部の形状・寸法が適切な構造・形状・寸法のメダル送出シュートに脱着によって変更ができ、現場・製品に応じた貸機による適したメダル供給ができるものとなる。
しかも、筒状のメダル払出シュートの先端部にメダル送出シュートの基端部が嵌合できるように同じ筒状形状であり、これらを嵌合して所定の嵌合長さで脱着可能に連結するためにメダル送出シュートの自重及びメダルの荷重及びメダル出入れの手の操作力・曲げモーメントがメダル送出シュートの筒状の基端部に荷重されても、それらの先端部・基端部は筒状であり、嵌合しているので二重筒状態で筒の外周・内周面は密着し、しかも所定の嵌合長さで連結している。しかも、メダル払出シュートはメダル貸機前面に固設されるものであるから、メダル送出シュートの基端部は鉛直方向及び水平左右方向の荷重及び高い曲げモーメント荷重に充分耐える強い強度を有する。よって、自重・メダル重み及び手の加圧力がメダル送出シュートに働いても、破損することない高い強度を有する。
更に、メダル送出シュートがメダル払出ノズルと脱着自在に連結でき、しかもその嵌合位置を前後に調整できるものではノズル方向の長さを変更できて、メダル送出シュートの先端までの長さをこの嵌合部分の長さで調整できるものとなる。
【０００９】
本発明によれば、メダル貸機内の払出機から払い出されるメダルはその払出路からメダル送出シュートに送られるが、このメダル送出シュートの先端にはトレイ部がある場合は、払出されたメダルは一時的にこのトレイ部で貯えられ、直ちにメダル受皿へ流入しないようにできる。トレイ部で貯えられるメダル数を超えたメダル数はトレイ部までのメダル送出シュート内に残留する。
しかも、メダル送出シュートは長さ伸縮とシュート途中の屈曲（湾曲）可能であるので、メダル送出シュートの先端のトレイ部はメダル受皿の近くの移載させ易い位置に出来易い。
【００１０】
トレイ部のメダルは手でトレイ部からメダル受皿へ移動させてもよい。
又は、トレイ部の一部壁面が開放可能にするものでは、開放操作すればメダル送出シュート及びトレイ部のメダルを自動的に又は軽い手操作でメダル受皿へ移行できる。
もし、メダル受皿がメダルが多数貯えられていてメダルを移載させない方がよい場合は、開放操作せずにトレイ部を開放せずにメダルを貯えたままにすればよい。その上流のメダルはトレイ部に貯えられたメダルでメダル移動が防止されて、メダルの移動を停止したままにできる。
【００１１】
更に、トレイ部の長さ（面積）が調整できれば、トレイ部に貯えるメダル数を調整できるので、トレイ部に適切な数のメダルを一時貯えるようにできる。
【００１２】
又、メダル送出シュートを取付ける連絡通路ブロックに使用したメダルをメダル貸機側へ戻すメダル投入管を設けたものでは、メダル払出・メダル送出シュート及びメダル投入口をコンパクトにメダル貸機の前面に設けることができる。更に、メダル投入口がメダル送出シュートの上方にあるので、メダル投入がシュートに妨げられることなく容易且つ迅速にメダル投入できる。
【００１３】
特に、メダル投入管が連絡通路ブロックに前後に進退自在にすることによって、前方へ引出すことでメダル投入管のメダル投入口を長くしてメダルの投入時の投入口面積を広くして、メダルの零れによるメダルの床・棚への落下を少なくできる。しかもそのメダル投入口に蓋体を設け、蓋体を閉じてメダル貸機内に後退させ、又前に引出して蓋体を略垂直状態にできれば、メダルをメダル投入口から零れることを更に少なく投入できる。
【００１４】
更に、メダル投入口に蓋体がある場合、メダル投入しないときは蓋体を閉じてメダル投入管を後方へ押し込むことで蓋体がメダル投入口を強制閉鎖することとなるので、メダル投入口からタバコ吸殻・ティッシュ等の異物の投入を防ぐことができる。
【００１５】
又、連絡通路ブロックの上方に蓋付メダル投入器を前後に進退自在に取付けたものでも、前方に引出すことでメダル投入口の面積を大きくして、メダルの零れを少なくできる。又、蓋体を閉じて後方に押し込むことで、メダル投入口を蓋体で強制閉鎖され、異物の投入を少なくできる。
【００１６】
本発明では、払出しのメダルのトレイ及びメダル送出シュートの払出機能及びメダル投入口を有するメダル投入器とを共通の連絡通路ブロックに集約したことで、メダルの払出しと投入回収の構造をコンパクトにできた。
【００１７】
更に、本発明のメダル投入器のメダル投入口に蓋体を設けているものでは、蓋体でメダル投入口を閉鎖できるので異物のメダル投入を少なくできる。特に、蓋体を閉じた状態でメダル投入器を後方に押し込むと、貸機前面開口上縁は蓋が開くのを拘束して蓋は閉じた状態となる。これによって、異物投入をかなり防げる。
【００１８】
本発明のメダル投入器は、メダル落下口へ向けて傾斜したメダル受面を有するので、メダルはその傾斜で滑ってメダル受面の下方に設けたメダル落下口からメダルを円滑に落下させる。落下したメダルは、連絡通路ブロック内の排出路を介して貸機内の回収路へ送り込まれる。一方、ティッシュ・タバコ吸殻・チューインガム等の異物が投入されてもメダル受面で止まって、それより下方へ落下しにくいので異物はこの傾斜したメダル受面で残留し、メダル投入口から異物を手作業で簡単に排除できる。
【００１９】
本発明でメダル投入口の蓋体が前方に引出した状態でメダル投入口の左又は右の口縁上方に略垂直に立上がるメダル投入器では、手に握ったメダルをメダル投入口へ投入するときメダル投入口の口縁の外へ零れるメダルを略垂直状態の蓋体が防いで、メダル投入口の外に零れるメダルを少なくしている。
【００２０】
本発明でメダル送出シュートが伸縮可能で長さが調整可能な構造のものでは、又はメダル払出シュートと脱着自在に連結するものでメダル送出シュートの形状・寸法が異なるものに変更できるものでは、メダル貸機の隣に設置の遊技機のメダル受皿との距離が現場で違っても、シュート長さの調整でメダル送出シュート先がメダル受皿に近接した位置にでき易くなる。
【００２１】
本発明でメダル送出シュートの先端に設けた小トレイ部の構成部材メダル受皿に向けて開放可能の構造となるものでは、小トレイ部に貯えたメダルを手で握ってメダル受皿へ移載するのが小トレイ部の構成部材の一部を開放して小トレイ部に貯えたメダルを押し込んでメダル受皿に迅速に移載できるので、メダル移載が容易となる。
【図面の簡単な説明】
【００２２】
【図１】図１は実施例１のメダル貸機の遊技店での設置を示す説明図である。
【図２】図２は実施例１の基本構造を示す説明図である。
【図３】図３は実施例１の要部である連絡通路ブロックとメダル投入管とメダル送出シュートとその先端の小トレイ部とを示す説明図である。
【図４】図４は実施例１のメダル送出シュートの伸縮・屈曲・小トレイ部の長さ調整と開放の構造及びメダル投入口の蓋の垂直状態の全体を示す説明図である。
【図５】図５は実施例１の要部の連絡通路ブロックにおけるメダル投入管とメダル送出シュートの基端部を示す斜視図である。
【図６】図６は実施例１の連絡通路ブロックとメダル投入管の構造を示す分解説明図である。
【図７】図７は実施例１の連絡通路ブロックの一部切欠構造説明図である。
【図８】図８は実施例１の連絡通路ブロックの平面図である。
【図９】図９は図８のＡ−Ａ断面図である。
【図１０】図１０は図８のＢ−Ｂ断面図である。
【図１１】図１１は実施例１のメダル投入管の一部切欠斜視図である。
【図１２】図１２は実施例１のメダル投入管の平面図である。
【図１３】図１３は図１２のＡ−Ａ断面図である。
【図１４】図１４はメダル投入管のメダル受面を示す説明図である。
【図１５】図１５は実施例１の払出路のメダルのメダル送出シュートまでのメダルの移動を示す説明図である。
【図１６】図１６は実施例１のメダル投入口へメダルを投入している状態を示す斜視図である。
【図１７】図１７は実施例１のメダル投入管でのメダルの移動を示す説明図である。
【図１８】図１８は実施例１のメダル投入管を後方に退却させた状態を示す説明図である。
【図１９】図１９は実施例１のメダル投入シュートの先端の小トレイ部を開放してメダルをメダル受皿へ移動している状態を示す説明図である。
【図２０】図２０は実施例１の小トレイ部の長さ調整機構と、開放機構を示す説明図である。
【図２１】図２１は実施例１のメダル送出シュートの分解斜視図である。
【図２２】図２２は実施例１のメダル送出シュートを伸長した状態の斜視図である。
【図２３】図２３は実施例２のメダル貸機の遊技店での設置を示す説明図である。
【図２４】図２４は実施例２の基本構造を示す説明図である。
【図２５】図２５は実施例２の要部である連絡通路ブロックとメダル投入器とメダル送出シュートとその先端の小トレイ部とを示す説明図である。
【図２６】図２６は実施例２のメダル送出シュートの伸縮・屈曲・小トレイ部の長さ調整と開放の構造及びメダル投入口の蓋の垂直状態の全体を示す説明図である。
【図２７】図２７は実施例２の要部の連絡通路ブロックにおけるメダル投入器とメダル送出シュートの基端部を示す斜視図である。
【図２８】図２８は実施例２の連絡通路ブロックとメダル投入器の構造を示す分解説明図である。
【図２９】図２９は実施例２の連絡通路ブロックの一部切欠構造説明図である。
【図３０】図３０は実施例２の連絡通路ブロックの平面図である。
【図３１】図３１は図３０のＡ−Ａ断面図である。
【図３２】図３２は図３０のＢ−Ｂ断面図である。
【図３３】図３３は実施例２のメダル投入器の一部切欠斜視図である。
【図３４】図３４は実施例２のメダル投入器の平面図である。
【図３５】図３５は図３４のＡ−Ａ断面図である。
【図３６】図３６は図３４のＢ−Ｂ断面図である。
【図３７】図３７は実施例２の払出路のメダルのメダル送出シュートまでのメダルの移動を示す説明図である。
【図３８】図３８は実施例２のメダル投入口へメダルを投入している状態を示す斜視図である。
【図３９】図３９は実施例２のメダル投入器でのメダルの移動を示す説明図である。
【図４０】図４０は実施例２のメダル投入器を後方に退却させた状態を示す説明図である。
【図４１】図４１は実施例２のメダル投入シュートの先端の小トレイ部を開放してメダルをメダル受皿へ移動している状態を示す説明図である。
【図４２】図４２は実施例２の小トレイ部の長さ調整機構と、開放機構を示す説明図である。
【図４３】図４３は実施例２のメダル送出シュートの分解斜視図である。
【図４４】図４４は実施例２のメダル送出シュートを伸長した状態の斜視図である。
【図４５】図４５は本発明の寸法長さを短くしたメダル払出ノズルに脱着自在としたメダル送出シュートの他の例を示す説明図である。
【図４６】図４６は本発明の実施例３，４のメダル貸機を同じ島のスロットル機の間に交互に配置した状態を示す斜視図である。
【図４７】図４７は実施例３のメダル貸機の使用状態を示す斜視図である。
【図４８】図４８は実施例３の貸機内の省略した内部構造とメダル送出シュートの側面を示す説明図である。
【図４９】図４９は実施例３のメダル払出ノズルと連絡通路ブロックとメダル投入管を示す斜視図である。
【図５０】図５０は実施例３の要部を示す分解斜視図である。
【図５１】図５１は実施例３の連絡通路ブロックの内部構造を示す斜視図である。
【図５２】図５２は図５１のＡ−Ａ断面図である。
【図５３】図５３は図５１のＢ−Ｂ断面図である。
【図５４】図５４は実施例３のメダル投入管を示す一部切欠斜視図である。
【図５５】図５５は図５４のＡ−Ａ断面図である。
【図５６】図５６は実施例３の要部を示す分解斜視図である。
【図５７】図５７は実施例３の斜視図である。
【図５８】図５８は実施例３のメダル送出シュートを前方位置で嵌合連結した状態を示す説明図である。
【図５９】図５９は実施例３のメダル投入状態を示す説明図である。
【図６０】図６０は実施例３のメダル投入管の前後に移動した状態を示す縦断面図である。
【図６１】図６１は実施例３のメダル投入状態の平面と側面におけるメダル移動を示す説明図である。
【図６２】図６２は実施例３のトレイ部の非回転状態を示す斜視図である。
【図６３】図６３は実施例３のトレイ部にメダルを貯えた状態を示す斜視図である。
【図６４】図６４は実施例３における平面及び側面での払出メダルの移動状態を示す説明図である。
【図６５】図６５は実施例３のトレイ部を右側に回転させた状態の斜視図である。
【図６６】図６６は実施例３のトレイ部回転を示す説明図である。
【図６７】図６７は実施例４の使用状態を示す説明図である。
【図６８】図６８は実施例４のメダル貸機内の省略した内部構造とメダル送出シュートの側面を示す説明図である。
【図６９】図６９は実施例４の分解斜視図である。
【図７０】図７０は実施例４の斜視図である。
【図７１】図７１は実施例４のメダル供給状態を示す斜視図である。
【図７２】図７２は実施例４のメダルの流れを示す説明図である。
【図７３】図７３は実施例４のトレイ部の開閉ゲートを開放してメダルを受皿へ移送している状態を示す斜視図である。
【図７４】図７４は実施例４のトレイ部の開閉ゲートの開と閉の場合のメダルの状態を示す説明図である。
【図７５】図７５は実施例４の回転部を回転させた状態を示す斜視図である。
【図７６】図７６は実施例４の回転部を回転させ且つトレイ部の長さを短く収縮させた状態を示す斜視図である。
【図７７】図７７は実施例４の回転部の回転とトレイ部の長さ調整の動きを示す説明図である。
【図７８】図７８はメダル投入器を上方に設けた本発明の連絡通路ブロックとメダル払出ノズルの変形例の分解斜視図である。
【図７９】図７９は同変形例を示す要部の斜視図ある。
【図８０】図８０は同変形例の連絡通路ブロックの内部構造を示す一部切欠説明図である。
【図８１】図８１は図８０のＡ−Ａ断面図である。
【図８２】図８２は図８０のＢ−Ｂ断面図である。
【図８３】図８３は同変形例のメダル投入器を示す一部切欠斜視図である。
【図８４】図８４は同変形例のメダル投入器の中央縦断の断面図である。
【図８５】図８５は同変形例のメダル投入器でのメダルの移動を示す説明図である。
【図８６】図８６は連絡通路ブロックにメダル投入口がない実施例５を示す斜視図である。
【図８７】図８７はメダル投入口がない実施例６を示す斜視図である。
【図８８】図８８は実施例５又は６のメダル投入口がない連絡通路ブロックとメダル払出ノズルの構造例を示す斜視図である。
【図８９】図８９はメダル投入口がない連絡通路ブロックとメダル払出ノズルの構造例の貸機前面への取付け状態を示す説明図である。
【図９０】図９０はメダル投入口がない連絡通路ブロックとメダル払出ノズルの構造例の連絡通路ブロックの内部構造を示す斜視図である。
【図９１】図９１は図９０のＡ−Ａ断面図である。
【図９２】図９２は図９０のＢ−Ｂ断面図である。
【図９３】図９３はメダル投入口がない連絡通路ブロックとメダル払出ノズルの構造例の連絡通路ブロックの蓋体を示す説明図である。
【図９４】図９４は図９３のＡ−Ａ断面図である。
【発明を実施するための形態】
【００２３】
本発明のメダル送出シュート２４は実施例１〜６の機構構造に限定するものでなく、もっとシンプルな他の機構のものでもよい。種々の構造・形状・寸法のものが目的用途に応じて採用できる。
本発明のメダル払出ノズル１２のメダル貸機の前面での取付位置は、前面左右中央，左側偏寄位置，右側偏寄位置の３タイプである。メダルを供給する遊技機のある側に偏寄させるのが使い易いと判断される。更に、メダル払出ノズル１２のメダル貸機の前面の取付高さ位置は、遊技機の送り出すメダルが遊技機のメダル投入口か、メダル受皿かによってその高さが変るので、適切の高さに設定する。
【００２４】
本発明の連絡通路ブロック１はプラスチックで一体成型し、又メダル投入管２０及び蓋体２３とは別体のプラスチック製で一体成型するのがよい。又、メダル送出シュート２４もシュート筒２４１，小トレイ固定部２５１を有する回動シュート２４４，開放ゲート２５２ｃを除いた小トレイスライド部２５２は別体でプラスチックの一体成型するのがよい。
【００２５】
又、本発明のメダル投入管・メダル投入器にはそのメダル投入口に蓋体を取付ける場合と、メダル投入口に蓋体を取付けず常時開放させる場合もあるが、前者の蓋体がある方がメダルの投入と回収ができるので好ましい。
尚、本発明ではメダル投入口を貸機前面に設けない場合と設ける場合がある。設ける場合は、メダル貸機の連絡通路ブロックの位置に設ける場合と、連絡通路ブロック以外のメダル貸機前面位置に設ける場合とがある。
【００２６】
本発明では、メダル貸機に遊技で使用したメダルをメダル貸機内にメダル投入してメダル貸機に回収できるようにするだけの場合と、メダル貸機にメダル投入口を設けて投入したメダル枚数を電子的に記録する場合とがある。
【００２７】
本発明の実施例として、図１〜図２２に示す実施例のメダル貸機Ｇ１のように、メダル投入口を有する前後動して蓋体のメダル投入管をメダル払出ノズルを突設する連絡通路ブロックに上部に設け、メダル投入を可能にする実施例１と、実施例１のメダル投入管に代え、前後動して蓋付のメダル投入器を設けた図２３〜図４４に示す実施例２のメダル貸機Ｇ２とを説明している。
実施例１と実施例２とも本発明の要部で略同一の構造のメダル送出シュートを有する。このメダル送出シュートの構成の符号は共通している。メダル投入する構造が実施例１のメダル貸機Ｇ１ではメダル投入管を使用し、実施例２のメダル貸機Ｇ２ではメダル投入器を使用して異なっている。他の実施例では、メダル投入管，メダル投入器のメダル投入口有りと、メダル投入口なしの例がある。
【実施例】
【００２８】
（実施例１）
本発明の実施例１のメダル貸機Ｇ１を、図１〜２２の図面に基づいて説明する。
本実施例１は、角筒状のメダル払出ノズル１２にこれと嵌合する角筒状のシュート筒２４１と回転できる回動シュート２４４と長さが調整できる小トレイ部２５を有し、しかも小トレイ部２５の先端にはメダル開放ゲート２５２ｃを枢軸した比較的に長くて途中で回転でき、先端に開放ゲート２５２ｃを取付けたトレイ部を備えた長いメダル送出シュート２４を有した構造である。更に、メダル払出ノズル１２を取付けた連絡通路ブロックの上方に長靴状メダル投入管２０のメダル投入口２０ａの口縁にメダル投入口２０ａを閉鎖する蓋体２３が垂直に起立可能に枢着し、しかもメダル投入管２０のメダル投入口２０ａ下方のメダル受面２１は前方が高く、後方が低くなるようにし、又貸機払出機ＨＤから払出されるメダルは連絡通路ブロック１内のメダル誘導路１１を経て、伸縮自在で中間で屈曲自在で更に先端にスライド自在で一端が開放自在なメダル開放ゲート２５２ｃを枢着した小トレイ部２５を設けた例である。
【００２９】
主に図３，５，６，７〜１４に本実施例１のメダル貸機Ｇ１の要部であるメダル送出シュートと連絡通路ブロックとメダル投入口があるメダル投入管の構造を示している。
主に図３，４，１５，１９〜２２は実施例１のメダル送出シュートの構造を示している。
そして、図１，２はメダル貸機の基本構造を示す図面である。
【００３０】
（符号の説明）
実施例１の図１〜２２において、Ｇ１は実施例１のメダル貸機、ＭＨは同メダル貸機Ｇ１内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇ１の細長の貸機ケーシング、ＭＣＯＮはメダル貸機Ｇ１にメダルを供給する上方に配置されたメダル供給コンベア、ＭＳはメダル供給コンベアのメダルをメダル貸機Ｇ１へ送り出すメダル補給路、ＭＣはメダル貸機Ｇ１内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇ１の前面に設けた紙幣投入部、ＫＤＩＳはメダル枚数等を表示する表示器、ＫＣＯＮはメダル貸機内の機器の制御及びメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読書装置を示す。Ｙは遊技機、ＹＳはそのメダル受皿である。
【００３１】
図中、１はプラスチック製で一体成型された連絡通路ブロック、１０は同連絡通路ブロック１の外周壁、１１はその内部に設けた傾斜したメダル誘導路、１２は同メダル誘導路に接続されたメダルを排出するための前記連絡通路ブロック１の前面に前方下方に傾斜するように設けられたメダル払出ノズル、１２１は同メダル払出ノズルの側面にノズル方向に複数個設けた長さ調整用の係止孔、１３は連絡通路ブロック１内に設けた長靴状のメダル投入管２０を収納する管収納空間、１４は連絡通路ブロックを窓部１５と押え枠板１７で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を固着する押え枠板、１７１は同押え枠板の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビスで、先端のナットで上着されている。１９はメダル投入管２０の押し込みをその垂直管部２０ｂと当って停止させる連絡通路ブロック１の後壁である。
【００３２】
図中、２０は前記管収納空間１３に収納された長靴状メダル投入管、２０ａはその上方のメダル投入口、２０ｂはメダル受面２１の傾斜した下周縁から落下するメダルを案内するメダル投入管２０の垂直管部、２０ｃは同垂直管部の下端からメダルを後方下向きに前記回収路ＫＡＩＲへ送り出す傾斜管部、２０ｄは前記垂直管部２０ｂの通路と傾斜管部２０ｃの通路とから形成されるメダル吐出路、２０ｅはメダル投入管２０の管後壁である。２１はメダル投入管２０のメダル投入口２０ａの下方途中に設けた前方が高く後方が低く且つメダル投入口の右側口縁壁に向って左右に傾斜したメダル受面、２２はメダル投入管２０の下方にあるメダル吐出路２０ｄのメダル排出口、２３はメダル投入口２０ａに枢着した蓋体、２３１は同蓋体を枢着する枢着ピン、２３２は蓋体２３側に設けた枢着ピン２３１のピン受、２３３はメダル投入口２０ａの口縁に設けたピン軸支部、２３４は蓋体２３の側端を少し張り出した把手部である。
【００３３】
２４は連絡通路ブロック１の前部で前方に突出したメダル払出ノズル１２に取付けたメダル送出シュートである。２４１はメダル払出ノズル１２に嵌装する角筒状のシュート筒、２４２は同シュート筒の先端に形成するシュートを屈曲させる屈曲部２４３の為の円形状の上下ある回転座面、２４３はシュート筒２４１に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止孔１２１と係合してその長さを決める加圧片、２４５ａは同加圧片の内側に突出させた係止ピンであって、メダル払出ノズル１２の係止孔１２１に挿入してシュート筒２４１をメダル払出ノズル１２に脱着自在に連結させるためのものである。
【００３４】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアーム２５２ａを加圧して脱落しないようにする加圧片、２５１ｃは加圧片２５１ｂの内側に突設させた係止突起であって、ピン穴２５２ｆに嵌合して小トレイスライド部２５２のスライドを止めて固定させるものである。２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイを形成する。２５２ｆはスライドアーム２５２ａに設けられたスライド係止用の複数のピン穴である。
【００３５】
（払出メダルの流れ）
払出メダルの流れは主に図１〜１０，１５，１６，１９〜２２に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て小トレイ部２５へ送られ、ここに一時貯えられる。
【００３６】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５の係止ピン２４５ａが係合するメダル払出ノズル１２の側面の複数ある係止孔１２１を選択することでメダル払出ノズルの前方突出の長さを調整できる。
【００３７】
更に、メダル払出ノズル１２の先端の小トレイ部２５も小トレイスライド部２５２をスライドしてスライドアーム２５２ａに設けた複数のピン穴２５２ｆを選択して小トレイ固定部２５１の加圧片２５１ｂの係止突起２５１ｃに嵌合することで所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００３８】
更に、小トレイ部２５の先端にはメダル開放ゲート２５２ｃが開閉自在に枢支されている。通常は開放ゲート２５２ｃを降ろして小トレイ部２５の先端トレイ壁を形成し、小トレイ部２５でメダルｍを一時貯えられるようにする。小トレイ部２５のメダルを遊技機Ｙのメダル受皿ＹＳへ移載するときは開放ゲート２５２ｃを上方に持ち上げれば、小トレイ部２５のメダルはその開放ゲート２５２ｃがない吐出口２５２ｅからメダル受皿ＹＳへ移動が容易にできる。
又は、メダル貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。
【００３９】
このように、メダル送出シュート２４はシュート筒２４１の進退による長さ調整・屈曲部２４３の回転角度調整及び小トレイ部２５のスライド調整することで、その先端の小トレイ部２５の位置を広い範囲で所定の位置に配置できる。これによって、メダル貸機Ｇと遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。
【００４０】
（メダル投入について）
メダル投入のメダルの流れ及び蓋の開閉とメダル投入管の動きは、主に図１，２，３〜８，１１〜１４，１６〜１８に示している。
ゲームを清算する場合、又はメダル受皿ＹＳのメダルが多くなってメダルをメダル貸機Ｇへ戻してメダル受皿ＹＳを空にしてメダル受け入れを可能にし、戻したメダルはメダル情報として電気的に処理するようにする場合に、遊技者が使用したメダル受皿ＹＳ内のメダルｍをメダル貸機Ｇのメダル投入口２０ａへ投入する。通常、メダル投入口２０ａは図３，５，１５，１８，１９，２２に示すように蓋体２３で閉鎖されている。しかも、図１４に示すようにメダル投入管２０及びその蓋体２３とも貸機ケーシングＫＣ内にそれらの後部が挿入されるようになっている。蓋体２３の後部は貸機前面壁ＫＣＦの窓部１５からメダル貸機内に挿入していて、蓋体２３の後方上面は窓部１５の上の内周縁に当って蓋体２３が上方向へ回動することを止めている。これによって、蓋体２３のメダル投入口２０ａの閉鎖状態を保持する。このように、蓋体２３はこの位置でメダル投入口２０ａを閉鎖状態に保持して異物の投入ができない状態となっている。
【００４１】
メダル投入口２０ａにメダルを投入する場合は、遊技者は図１６，１７に示すようにメダル投入管２０を前方に引出すと蓋体２３は窓部１５の上内周縁からの拘束がなくなり、蓋体２３は枢着ピン２３１まわりに回動して開くことができる。蓋体２３を回動する際、蓋体２３の中央右側にある把手２３４に指を掛けて指を持ち上げれば、蓋体２３は容易に回動できる。そして、蓋体２３が回動すると略垂直の位置でメダル投入口２０ａの後方口縁上方位置に突設させた押え枠板１７の蓋体垂直ストッパ片１７２に当って、垂直又はやや左側に少し傾く略垂直で保持される。
蓋体２３を開いて垂直の状態にして、手の平内に収めたメダルｍをメダル投入口２０ａに落下させる（図１６，１７参照）。メダル投入口２０ａを超えて左方向に落下するメダルは垂直な蓋体２３の内面に当って右方向に返されて、メダル投入口２０ａに落下すること及びメダル投入口２０ａも前方に長くなることでメダルの零れが少なく、メダルｍをメダル投入口２０ａへ確実に投入できる。
【００４２】
メダル投入口２０ａ内に落下したメダルｍは、図６，１１，１２，１３，１４，１７，１８に示すように後方と右側に低くなるように傾いたメダル受面２１に落下し、その傾斜に従って後方・右側に滑りながらメダル投入管２０の後方のメダル吐出路２０ｄの垂直管部２０ｂを落下し、更にその下方のメダル貸機内方向に傾斜管部２０ｃの先端のメダル排出口２２からメダル貸機内のメダルカウンターＭＣへメダルを送る回収路ＫＡＩＲへ送り出す。
【００４３】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルはメダル貸機下方に配装されたメダル回収コンベアＭＫＡＩへ送られる。
【００４４】
本実施例１のメダル貸機Ｇ１は、メダル投入口２０ａを前後させるのに、別体のメダル投入管２０を別体として連絡通路ブロック１の管収納空間１３内で前後移動させる構造であるので、連絡通路ブロック１と前後移動するメダル投入口２０ａとその蓋体２３の構造を一体的にする場合に比べて構造が簡素化され、又製造・組立を容易にできる。又、連絡通路ブロック１にメダル投入口とその排出路及び払出メダルのメダル誘導路とその前面にトレイ又はメダル送出シュートを設け、これら機能をコンパクトに集約している。
【００４５】
（実施例２）
以下、実施例２について説明する。
本発明の実施例２のメダル貸機Ｇ２を、図２３〜４４の図面に基づいて説明する。
本実施例のメダル貸機Ｇ２は、そのメダル送出シュート２４は実施例１のメダルシュートと同じ構造・寸法である。メダルはメダル投入器３０に投入するものである。メダル投入器３０のメダル投入口３０ａの口縁にメダル投入口３０ａを閉鎖する蓋体３３が垂直に起立可能に枢着し、同蓋体３３を閉じた状態で前後に進退できるようになっている。しかもメダル投入器３０のメダル投入口３０ａ下方に設けたメダル受面３１は前方が高く、後方が低くなるように傾斜させ、後方の低い位置にメダル落下口３１ａを設けている。又貸機払出機ＨＤから払出されるメダルは連絡通路ブロック１内のメダル誘導路１１を経て、伸縮自在で中間で屈曲自在で更に先端にスライド自在で一端が開放自在なメダル開放ゲート２５２ｃを枢着した小トレイ部２５を設けた例である。
更に、メダル投入器３０の構造は、連絡通路ブロック１を構成する縦の区画壁１０ａの区画壁上端に前後に長い上方を開放した直方体容器に近い受皿状のメダル投入器３０を載置して支持し、メダル投入器３０の後方の下部に所定間隔離した二本の前後方向に延びたガイド片３０ｄを対向して垂設していて、同ガイド片３０ｄの間に連絡通路ブロック１の中間にある内部の前後に延びた縦の区画壁１０ａに差し込んで、メダル投入器３０を前後方向に安定して進退自在としている。
【００４６】
主に図２５，２７，２８，２９〜３９に本実施例２の要部であるメダル送出シュート２４と連絡通路ブロック１とメダル投入口３０ａがあるメダル投入器３０の構造を示している。
主に図２５〜３０，３２，４０〜４４は実施例２のメダル送出シュート２４の構造を示している。このメダル送出シュート２４は実施例１のものと略同じで、符号も共通である。
そして、図２３，２４はメダル貸機Ｇ２の基本構造を示す図面である。
【００４７】
（実施例２の図面の符号の説明）
図２３〜４４において、Ｇ２は実施例２のメダル貸機、ＭＨは同メダル貸機Ｇ２内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇ２の細長の貸機ケーシング、ＭＣＯＮはメダル貸機Ｇ２にメダルを供給する上方に配置されたメダル供給コンベア、ＭＳはメダル供給コンベアのメダルをメダル貸機Ｇ２へ送り出すメダル補給路、ＭＣはメダル貸機Ｇ２内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇ２の前面に設けた紙幣投入部、ＫＤＩＳはメダル枚数等を表示する表示器、ＫＣＯＮは貸機内の機器の制御及びメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読み書き装置を示す。Ｙは遊技機、ＹＳはそのメダル受皿である。これらの実施例２の図面の符号は、実施例１のものと同じにしている。
【００４８】
図中、１はプラスチック製で一体成型された連絡通路ブロック、１０は同連絡通路ブロック１のブロック外周壁、１０ａは連絡通路ブロック内部に設けた縦の区画壁、１０ｂはメダル投入器３０を前後に摺動させて支持する同区画壁１０ａの区画壁上端、１０ｃはメダル投入器３０のメダル落下口３１ａから下方に落下するメダルを貸機ケーシングＫＣ内のメダルの回収路ＫＡＩＲへ誘導して送る区画壁１０ａとブロック外周壁１０と貸機内に向って傾斜した滑面板１０ｄによって形成されたメダル排出路、１０ｄは滑面板、１０ｅは区画壁１０ａの後端で上方に突出させた器ストッパ突起、１１は連絡通路ブロック１の内部に設けた傾斜したメダル誘導路、１２は同メダル誘導路に接続されたメダルを排出するための前記連絡通路ブロック１の前面に前方下方に傾斜するように設けられたメダル払出ノズル、１２１は同メダル払出ノズルの側面にノズル方向に複数個設けた長さ調整用の係止孔、１４は連絡通路ブロックを窓部１５と押え枠板１７で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を固着する押え枠板、１７１は同押え枠板１７の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビスである。上記１〜１８の符号は実施例１，２共通である。
【００４９】
図中、３０〜３３４の符号は実施例２のメダル投入器に関する符号である。３０はメダル投入器、３０ａはその上方のメダル投入口、３０ｂはメダル投入器３０の器外周壁、３０ｃはメダル投入器３０の後壁部分である器後壁、３０ｄはメダル投入器３０の下部中央に設けた一対のガイド片、３０ｅは器外周壁３０ｂの左右下端と器後壁３０ｃの後下端とのコーナー部に形成したストッパ片受凹部、３１はメダル投入器３０のメダル投入口３０ａの下方位置に設けたメダル落下口３１ａに向って低くなるメダル受面、３１ａはメダル投入器３０のメダル落下口である。又、３３は前記メダル投入口３０ａを閉鎖できる器外周壁３０ｂに枢着された蓋体、３３１はその枢着ピンで、反対側にはナットが螺着されている。３３２はピン受、３３３はピン軸支部、３３４は蓋体３３の右側中央に張り出した把手である（図２７〜３１，３３〜３７参照）。
【００５０】
２４は連絡通路ブロック１の前部で前方に突出したメダル払出ノズル１２に取付けたメダル送出シュートである。２４１はメダル払出ノズル１２に嵌装する角筒状のシュート筒、２４２は同シュート筒の先端に形成するシュートを屈曲させる屈曲部２４３の為の円形状の上下ある回転座面、２４３はシュート筒２４１に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止孔１２１と係合してその長さを決める加圧片である。上記２４〜２４５の符号は実施例１，２に共通である。
【００５１】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアームを加圧して脱落しないようにする加圧片、２５１ｃは係止突起、２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイを形成する。２５２ｆはピン穴である。この２５〜２５２ｆの符号も実施例１，２の共通としている。
【００５２】
（実施例２の払出メダルの流れ）
払出メダルの流れは主に図２３〜３２，４０〜４４に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て小トレイ部２５へ送られ、ここに一時貯えられる。
【００５３】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５が係合するメダル払出ノズル１２の側面の複数ある係止孔１２１を選択することでメダル払出ノズルの長さを調整できる。
【００５４】
更に、メダル払出ノズル１２の先端の小トレイ部２５も小トレイスライド部２５２をスライドして所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００５５】
更に、小トレイ部２５の先端にはメダル開放ゲート２５２ｃが開閉自在に枢支されている。通常は開放ゲート２５２ｃを降ろして小トレイ部２５の先端トレイ壁を形成し、小トレイ部２５でメダルｍを一時貯えられるようにする。小トレイ部２５のメダルを遊技機Ｙのメダル受皿ＹＳへ移載するときは開放ゲート２５２ｃを上方に持ち上げれば、小トレイ部２５のメダルはその開放ゲート２５２ｃがない吐出口２５２ｅからメダル受皿ＹＳへ移動が容易にできる。
又は、メダル貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。
【００５６】
このように、メダル送出シュート２４はシュート筒２４１の進退による長さ調整・屈曲部２４３の回転角度調整及び小トレイ部２５のスライド調整することで、その先端の小トレイ部２５の位置を広い範囲で所定の位置に配置できる。これによって、メダル貸機Ｇ２と遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。これらは実施例１，２のメダル送出シュートで共通である。
【００５７】
（実施例２のメダル投入について）
メダル投入のメダルの流れ及び蓋の開閉とメダル投入器の動きは、主に図２３，２４，２５〜３１，３３〜３９に示している。この実施例２のメダル投入の構造とメダルの流れは、実施例１のものと異にしている。
ゲームを清算する場合、又はメダル受皿ＹＳのメダルが多くなってメダルをメダル貸機Ｇ２へ戻してメダル受皿ＹＳを空にしてメダル受け入れを可能にし、戻したメダルはメダル情報として電気的に処理するようにする場合に、遊技者が使用したメダル受皿ＹＳ内のメダルｍをメダル投入器３０のメダル投入口３０ａへ投入する。通常、メダル投入口３０ａは図２５，２７，３７，４１に示すように蓋体３３で閉鎖されている。しかも、図３７に示すようにメダル投入器３０及びその蓋体３３とも貸機ケーシングＫＣ内にそれらの後部が挿入されるようになっている。蓋体３３の後部は貸機前面壁ＫＣＦの窓部１５から貸機内に挿入していて、蓋体３３の後方上面は窓部１５の上の内周縁に当って蓋体３３が上方向へ回動することを止めている。これによって、蓋体３３のメダル投入口３０ａの閉鎖状態を保持する。このように、蓋体３３はこの位置でメダル投入口３０ａを閉鎖状態に保持して異物の投入ができない状態となっている。
【００５８】
メダル投入口３０ａにメダルを投入する場合は、遊技者は図３８，３９に示すようにメダル投入器３０を前方に引出すと蓋体３３は窓部１５の上内周縁からの拘束がなくなり、蓋体３３は枢着ピン３３１まわりに回動して開くことができる。蓋体３３を回動する際、蓋体３３の中央右側にある把手３３４に指を掛けて指を持ち上げれば、蓋体３３は容易に回動できる。そして、蓋体３３が回動すると略垂直の位置でメダル投入口３０ａの後方口縁上方位置に突設させた押え枠板１７の蓋体垂直ストッパ片１７２に当って、垂直又はやや左側に少し傾く略垂直で保持される。
蓋体３３を開いて垂直の状態にして、手の平内に収めたメダルｍをメダル投入口３０ａに落下させる（図３８，３９参照）。メダル投入口３０ａを超えて左方向に落下するメダルは垂直な蓋体３３の内面に当って右方向に返されて、メダル投入口３０ａに落下すること及びメダル投入口３０ａも前方に長くなることでメダルの零れが少なく、メダルｍをメダル投入口３０ａへ確実に投入できる。
【００５９】
メダル投入口３０ａ内に落下したメダルｍは、図２８〜３９に示すように後方と右側に低くなるように傾いたメダル受面３１に落下し、その傾斜に従って後方・右側に滑りながらメダル投入器３０のメダル落下口３１ａからメダル排出路１０ｃへ落下し、メダル貸機内のメダルカウンターＭＣへメダルを送る回収路ＫＡＩＲへ送り出す。
【００６０】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルはメダル貸機下方に配装されたメダル回収コンベアＭＫＡＩへ送られる。
【００６１】
本実施例２のメダル貸機Ｇ２は、メダル投入口３０ａを前後させるのに、別体のメダル投入器３０の後方下部に設けた一対のガイド片３０ｄの間に連絡通路ブロック１の中央にある前後方向の縦の区画壁１０ａを挿入することで、メダル投入器３０を前後方向に安定的に移動可能にしている。メダル投入器３０は、連絡通路ブロック１のブロック外周壁１０の上端及び複数の区画壁上端１０ｂに置かれて摺動して前後できるようになっている。しかも、メダル投入器３０の押し込みはその後方下端のストッパ片受凹部３０ｅが連絡通路ブロック１のブロック外周壁１０の左右の上方後端の固定された器ストッパ突起１０ｅと当って停止される。又、図２８，３９に示すようにメダル投入器３０の引出しの停止は、その器後壁３０ｃの上端部分が押え枠板１７の開口１７１の上方開口周縁と当ってなされる。
【００６２】
このように、連絡通路ブロック１には前後進退するメダル投入器３０のメダル投入口と、その排出路及び払出メダルのメダル誘導路とその前面にトレイ又はメダル送出シュートを設け、これら機能をコンパクトに集約している。
【００６３】
図４５に示すメダル送出シュートの例は、前記実施例２のメダル払出ノズル１２に脱着自在に取付けたメダル送出シュート２４のシュート筒２４１の長さ，回動シュート２４４の長さが短いものに交換して嵌合した例であり、このように寸法が短いメダル送出ノズル２４に交換すれば、その先端の小トレイ部２５の貸機前面壁ＫＣＦからの前方位置を短くし、又その高さもやや高い位置にできるものとなる。このように、メダル送出シュート２４を前方下向きに突出したメダル払出ノズル１２に脱着自在にし、種々の寸法・形状のメダル送出シュートを用意すれば、前方寸法・高さ等の調整がメダル送出シュート２４の交換でできるようになる。
【００６４】
（実施例３）
図４６〜６６に示す実施例３のメダル貸機Ｇ３では、箱型の連絡通路ブロック１の遊技機Ｙに近い左側に偏寄した位置でメダル払出ノズル１２が前方下向きに固設されていて、メダル送出シュート３４は短く、その先端部に左右方向に回転できる容器型トレイ部３５を設け、更に連絡通路ブロック１の上部に蓋付長靴状のメダル投入管２０を前後動自在に設けた例である。この実施例３では、払出されたメダルはメダル送出シュート３４の先端の容器型トレイ部３５に一時貯えられるものである。
【００６５】
この実施例３では、メダル送出シュート３４は長さが実施例１，２のものに比べかなり短いシュート筒３４１と、その後端に設けたやや大きめの容器型トレイ部３５を回転自在に取付けている。よって、この実施例３では払い出されるメダルはこの容器型トレイ部３５に収まり、遊技者が手でもって容器型トレイ部３５内のメダルを取り出して遊技機Ｙのメダル投入口に直接投入するか、又はそのメダル受皿ＹＳへ移して使用する例である。
【００６６】
この実施例３は、図４７，４８に示すようにメダル送出シュート３４は短いシュート筒３４１を用い、容器型トレイ部３５の先端位置は横の遊技機Ｙのメダル受皿ＹＳの先端位置に近いものとなって、容器型トレイ部３５とメダル受皿ＹＳが横並びの状態となってメダルの手による移動を容易にしている。更に、図６６（ａ）に示すようにメダル払出ノズル１２の取付位置を連絡通路ブロック１の遊技機Ｙに近い左側に設けるようにすれば、容器型トレイ部３５はメダル受皿ＹＳと一部が上下に重なるようになって、メダルの移動を容易にしている。遊技機Ｙのガラス扉を開放する場合は図６６（ｂ）の如く、容器型トレイ部３５を右側に回転させれば、遊技機Ｙのガラス扉は容器型トレイ部３５に接触することなく開放できる。
【００６７】
（実施例３のメダル貸機Ｇ３の符号の説明）
メダル送出シュート３４関係の構成部分とその先端の容器型トレイ部３５の関係の構成部分以外の構造・機能が似ている相当構成に対して、実施例１，２の符号と同じ符号を使用している。図４６〜６６において、３４は実施例３のメダル送出シュート、３４１は角筒状で長さが短いそのシュート筒、３４１ａは同シュート筒の外周に複数取付けられた加圧片であって、３４１ｂはその加圧片の内側に取付けられたメダル払出ノズル１２の係止孔１２１に挿入されて連結するための係止ピン、３４１ｃはシュート筒３４１の後端に設けた回転座面、３４１ｄはねじ孔である。３５は容器型トレイ部であり、３５ａはトレイ本体、３５ｂはシュート筒３４１の回転座面に接摺する回転受面、３５ｃは同回転受面３５ｂの中心に設けたねじ孔、３５ｄは前記ねじ孔３４１ｄとねじ孔３５ｃとを貫通して回転軸となる回転ねじ、３５ｅは容器型トレイ部の後部に逆ハ字状に取付けられ、その回転角度を所定角度範囲に規制する制動板である。と同時に、折り曲げ部からのメダルのこぼれ防止となる。
【００６８】
（実施例３のメダル払出しについて）
（メダル払出／特に、図４８，５０，５１，５３，５６，６３，６４参照）
実施例３における払出しメダルの流れは、前記実施例１，２の場合と同様に貸機ケーシングＫＣ内の払出機ＨＤ、払出路ＭＲ、連絡通路ブロック１内のメダル誘導路１１（図６４参照）からメダル払出ノズル１２を経て、メダル送出シュート３４のシュート筒３４１，容器型トレイ部３５へと流れていく。
容器型トレイ部３５に収まったメダル状態を図６３に示している。
【００６９】
この実施例３では、シュート筒３４１のメダル払出ノズル１２に対して嵌合連結位置には加圧片３４１ａの係止ピン３４１ｂをどの係止孔１２１に係止するかによって長さを長短できる。図５７，５９，６５はメダル払出ノズル１２の基端に近い位置までシュート筒３４１が嵌入されて、短い状態である。
図６２，６３は嵌合は中間位置にあり、図５８は最も前方で浅く嵌合連結した状態であり、これに応じて容器型トレイ部３５は前方へ突出長さが短長できるようになっている。
【００７０】
又、容器型トレイ部３５は回転ねじ３５ｄまわりに左右に回動できるようになっている。図６５，６６（ｂ）に右側に回動させた状態を示し、図６６（ａ）は容器型トレイ部３５は非回転でもメダル払出ノズル１２が貸機前面の左側に偏寄しているので、遊技機Ｙの受皿ＹＳの右端部分の上方に位置し、容器型トレイ部３５からメダルを受皿ＹＳへ手で容易に移動し易いようになっている。この位置で容器型トレイ部３５を時計方向に左側に回転させると、その重なり部分の面積が増えて、メダル移動を更に容易にできる。
【００７１】
（実施例３のメダル貸機Ｇ３のメダルの投入について）
実施例３のメダルの投入は、前記の実施例１のメダル投入管によるメダル投入と同様に、メダル投入管２０を前方へ引出して蓋体２３を開いて直角にしてメダル投入口２０ａを開放して、メダルｍをメダル投入口２０ａへ落下すれば傾斜したメダル受面２１で一部受けられて、その下方の垂直管部２０ｂ，傾斜管部２０ｃのメダル吐出路２０ｄを経て、メダル排出口２２からメダル貸機内のメダルカウンターＭＣへ送られ、カウント後回収路ＫＡＩＲを経てメダル回収コンベアＭＫＡＩへ送られる。
【００７２】
メダル投入管２０の構造は図５０，５１，５２，５３，５４，５５に示されていて、そのメダルの投入とメダルの移動は図５９，６１（ａ），（ｂ）に示されている。実施例１と同様であるので、その移動の詳細は省略する。
この実施例でも蓋体２３があるので、異物（吸殻，チューインガム，ティッシュ等）の投入を少なくしている。
【００７３】
（実施例４）
図６７〜７７に示す実施例４のメダル貸機Ｇ４では、前記実施例３のメダル払出ノズル１２に嵌合連結する短いシュート筒３４１の先端に取付けた容器型トレイ部３５に代えて、実施例１，２の回動シュート２４４と同様にシュート筒３４１に先端部が湾曲した回動シュート２４４を回転自在に取付け、更に回動シュート２４４の左方向に湾曲した先端部に実施例１，２と同様な長さ調整でき、且つ先端にメダル開放ゲート２５２ｃを有する小トレイ部２５を設けた例である。実施例１，２，３の相当構成には、実施例１，２，３と共通の符号を使用している。
【００７４】
本実施例４では、小トレイ部２５のスライド底面２５２ｂは左方向に従って下がるように傾斜していて、その終端及び開放ゲート２５２ｃは横の遊技機Ｙのメダル受皿ＹＳの内側に突入するようになって、開放ゲート２５２ｃを上方に持ち上げると、小トレイ部２５に送られたメダルはその傾斜で自動的にメダル受皿ＹＳへ移動できるようになっている。
【００７５】
そして、実施例１，２のシュート筒２４１に比べて本実施例４のシュート筒２４１は長さが短く、先端の小トレイ部２５の前方への突出寸法を少なくしている。又、実施例１，２の回動シュート２４４に比べ実施例４の回動シュート２４４は円弧状に湾曲していて、且つ小トレイ部２５をやや前方に延びるように左側に向けて下向きに取付けている。これによって、前方に向けて滑ってくるメダルｍを滑らかに左方向に方向転換しながら、小トレイ部２５の底面の下向き傾斜で受皿ＹＳの方向に誘導して移動させ易くしている。図７１，７２，７４（ａ）はメダル開放ゲート２５２ｃを閉鎖状態として、小トレイ部２５にメダルを一時貯えられる場合のメダルの流れを示す。図７３及び図７４（ｂ）はメダル開放ゲート２５２ｃを持ち上げて開放した場合のメダルの流れを示す。
【００７６】
図７５，７７（ａ）は小トレイ部２５の長さをスライドさせて長くさせ、且つ回動シュート２４４を右方向（反時計方向）に回転させた状態である。図７６，７７（ｂ）は小トレイ部２５の長さを短くして回動シュート２４４を右方向に回転させた状態を示す。
【００７７】
図６７，７０，７１，７２，７３，７４は回動シュートを回転させず、且つ小トレイ部２５を長くした状態の図面である。
【００７８】
実施例４の連絡通路ブロック１内のメダルの払出し、メダル誘導路１１，メダル払出ノズル１２でのメダルｍの移動は前記実施例３の構造と同じであり、移動も実施例３の通りである。更に、蓋体２３付きのメダル投入管２０の構造とメダル移動は実施例３と同様であるので、その構造・メダル移動について省略する。
【００７９】
（本発明の連絡通路ブロックとメダル払出ノズルの変形例／図７８〜８５参照）
前記実施例３，４において、メダル投入構造をメダル投入管の構造から実施例２と同様のメダル投入器の構造に代えた場合の、連絡通路ブロック１とメダル払出ノズル１２の構造を示す変形例である。これに実施例３，４の各メダル送出シュート２４（シュート筒と容器型トレイ部３５，又はシュート筒と回動シュート２４４と小トレイ部２５）を嵌合連結して取付ければ、メダル投入構造が違うのみで他は実施例３，４の別例とすることができるものである。この変形例に実施例１，２のタイプのメダル送出シュート２４も嵌合連結できる。図７８〜８５において、メダル送出シュート２４の構造及びメダル貸機の内部・前面壁の構造は省略している。本例に実施例１，２，３，４のタイプのメダル送出シュート２４を連結してメダル貸機として使用できるものである。
【００８０】
図７８〜８５において、実施例２のメダル投入器３０と相当の構成については、共通の符号を使用している。この図７８〜８５の変形例のメダル投入器３０が実施例２のメダル投入器３０との違いは、実施例２のメダル投入器３０の前後進退移動をガイドするのをその下方に設けた一対のガイド片３０ｄ間に区画壁１０ａを挿入することで前後進退をさせる構造に対し、図７８〜８５の変形例との違いは変形例ではメダル落下口の口縁が少し下方に延びて、この口縁の側面部分（器外周壁３０ｂ）がブロック外周壁１０及び内部の区画壁１０ａに接触して拘束され、メダル投入器３０を前後に進退させるものとなっている。
【００８１】
そして、実施例２のメダル投入器３０のメダル受面３１，メダル落下口３１ａ，器後壁３０ｃ，メダル排出路１０ｃ，器ストッパ突起１０ｅ，メダル投入口３０ａを有している。又、連絡通路ブロック１の上部にメダル投入器３０の載置収容空間が設けられ、メダル落下口３１ａから落下するメダルを貸機内のホッパ状の回収路ＫＡＩＲまで誘導する傾斜した滑面板１０ｄが底面として設けられたメダル排出路１０ｃを設けている。
【００８２】
又、メダル投入口３０ａの口縁には蓋体３３が枢着ピン３３１によって反時計方向に回転可能に設けている。蓋体３３は閉じた状態でメダル投入器３０とともに貸機ケーシングＫＣ内にその後部を押し込めることが出来、この状態では蓋体３３は開放できず、タバコ吸殻，チューインガム，紙等を投入できないようにしている。メダルを投入するときは、把手３３４をつまんで又は蓋体３３の上面の凹みに指を掛けて前に引けばメダル投入器３０は前方に移動し、その後蓋体３３を回転させてメダル投入口３０ａを前後長く開放し、又蓋体３３を把手３３４を使って直角に起立させ、メダル投入口３０ａからメダルを投入する。メダル投入口３０ａが広い開口面積となり、又蓋体３３がメダルの零れを少なく投入できるようになる。落下口から落下したメダルのカウント・回収は、実施例１，２と同様となっている。
メダル投入器３０の前後移動・蓋体３３の開閉及びメダルの落下と誘導の状態を図８５に示している。尚、メダル払出ノズル１２はメダル貸機の前面の中心から左側に偏寄した位置に固設されている。
【００８３】
図８６〜９４は、前記実施例３，４において連絡通路ブロック１の上方にメダル投入口を設けない実施例を示す図面である。これら例では、メダル投入の構造がない分だけ、連絡通路ブロック１の内部構造はシンプルとなり、又連絡通路ブロック１には常時天井蓋５０が取付けられている。
【００８４】
図８６は実施例５のメダル貸機Ｇ５であって、実施例３の連絡通路ブロック１の上方は天井蓋５０が取付けられて異物の投入がないようにしている例で、他の構造・作用効果は実施例２と同じである。メダル投入管２０及び管の前後進退構造・メダルの落下路がない分、連絡通路ブロック１の構造はシンプルとなっている。
【００８５】
図８７で示す実施例６のメダル貸機Ｇ６は、実施例４で連絡通路ブロック１の上部にメダル投入管２０及びメダルの排出の通路並びにメダル投入管２０の前後進退の構造がないもので、上部には天井蓋が常時取付けられているシンプルな構造となっている。この実施例６ではメダル投入が出来ないが、他は実施例４と同様な構造と作用効果を有する。
【００８６】
図８８，８９，９０，９１，９２，９３，９４は前記実施例５，６に使用する連絡通路ブロック１とメダル払出ノズル１２の構造を示す図面で、連絡通路ブロック１の上方は天井蓋５０で閉鎖され、又実施例３，４の連絡通路ブロック１に比べ大巾にシンプルな構造となっている。この連絡通路ブロック１におけるメダル払出しの誘導路，メダル払出ノズル１２の構造は、実施例３，４のものと同じである。
【産業上の利用可能性】
【００８７】
本発明は、メダルを使用したパチンコ機・スロットル機以外の遊技機のメダル貸機としても使用できる。
【符号の説明】
【００８８】
Ｇ，Ｇ１，Ｇ２，Ｇ３，Ｇ４，Ｇ５，Ｇ６    実施例１〜６のメダル貸機
ＭＨ    メダルホッパー
ＨＤ    払出機
ＫＣ    貸機ケーシング
ＭＲ    払出路
Ｙ    遊技機
ＹＳ    メダル受皿
ＭＣＯＮ    メダル供給コンベア
ＭＳ    メダル補給路
ＭＫＡＩ    メダル回収コンベア
ＭＣ    メダルカウンター
ＫＡＩＲ    回収路
ＳＴ    紙幣投入部
ＫＤＩＳ    表示器
ＫＣＯＮ    コンピュータ
ＫＣＦ    貸機前面壁
ＥＮＤＢ    清算ボタン
ＫＢ    貸出ボタン
ＲＷＣＡＲＤ    ＩＣカード読書装置
ｍ    メダル
１    連絡通路ブロック
１０    ブロック外周壁
１０ａ    区画壁
１０ｂ    区画壁上端
１０ｃ    メダル排出路
１０ｄ    滑面板
１０ｅ    器ストッパ突起
１１    メダル誘導路
１２    メダル払出ノズル
１２１    長さ調整用の係止孔
１３    管収納空間
１４    固定用張出片
１５    窓部
１７    押え枠板
１７１    開口
１７２    蓋体垂直ストッパ片
１８    サラビス
１９    後壁
２０    メダル投入管
２０ａ    メダル投入口
２０ｂ    垂直管部
２０ｃ    傾斜管部
２０ｄ    メダル吐出路
２０ｅ    管後壁
２１    メダル受面
２２    メダル排出口
２３    蓋体
２３１    枢着ピン
２３２    ピン受
２３３    ピン軸支部
２３４    把手
２４    メダル送出シュート
２４１    シュート筒
２４２    シュート筒の回転座面
２４３    屈曲部
２４４    回動シュート
２４４ａ，２４４ｂ    回転盤
２４４ｃ    回転連結ねじ
２４５    加圧片
２４５ａ    係止ピン
２５    小トレイ部
２５１    小トレイ固定部
２５１ａ    スライドアーム挿入空間
２５１ｂ    加圧片
２５１ｃ    係止突起
２５２    小トレイスライド部
２５２ａ    スライドアーム
２５２ｂ    スライド底面
２５２ｃ    メダル開放ゲート
２５２ｄ    ゲート枢支軸
２５２ｅ    吐出口
２５２ｆ    ピン孔
３０    メダル投入器
３０ａ    メダル投入口
３０ｂ    器外周壁
３０ｃ    器後壁
３０ｄ    ガイド片
３０ｅ    ストッパ片受凹部
３１    メダル受面
３１ａ    メダル落下口
３３    蓋体
３３１    枢着ピン
３３２    ピン受
３３３    ピン軸支部
３３４    把手
３４    メダル送出シュート
３４１    シュート筒
３４１ａ    加圧片
３４１ｂ    係止ピン
３５    容器型トレイ部
３５ａ    トレイ本体
３５ｂ    回転受面
３５ｃ    ねじ孔
３５ｄ    回転ねじ
３５ｅ    制動板
５０    天井蓋
５０ａ    嵌合片